(57)【要約】  本発明の実施例は、補助接続の確立方法および装置を提供する。当該方法は、端末装置の、当該端末装置の補助ネットワークアクセス装置へのアクセスをサポートする能力を示すための補助ネットワークアクセス能力情報を取得することと、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信することと、当該第１の補助ネットワークアクセス装置が送信した、当該第１の補助ネットワークアクセス装置と当該端末装置との間の補助接続を確立するための第１の設定情報を含む、補助接続追加リクエストメッセージの確認メッセージを受信することと、を含む。本発明の実施例で提供された方法および装置は、ユーザープレーンのデータスループットを向上させ、および主要ネットワークアクセス装置の負荷を軽減することができる。
2019527952.tif 000002
【特許請求の範囲】
【請求項１】
補助接続の確立方法であって、
主要ネットワークアクセス装置は、端末装置の、前記端末装置の補助ネットワークアクセス装置へのアクセスをサポートする能力を示すための補助ネットワークアクセス能力情報を受信することと、
前記主要ネットワークアクセス装置は、第１の補助ネットワークアクセス装置に、前記第１の補助ネットワークアクセス装置をデータ伝送のネットワークデバイスとして追加するようにリクエストするために用いられる、前記補助ネットワークアクセス能力情報を含む補助接続追加リクエストメッセージを送信することと、
前記主要ネットワークアクセス装置は、前記第１の補助ネットワークアクセス装置が送信した、前記第１の補助ネットワークアクセス装置と前記端末装置との間の補助接続を確立するための第１の設定情報を含む、補助接続追加リクエストメッセージの確認メッセージを受信することと、
を含むことを特徴とする補助接続の確立方法。
【請求項２】
前記補助接続追加リクエストメッセージは、さらに、前記端末装置が既に確立した補助接続の設定情報である第２の設定情報を含む
ことを特徴とする請求項１に記載の方法。
【請求項３】
前記主要ネットワークアクセス装置が、端末装置の補助ネットワークアクセス能力情報を取得することは、
前記主要ネットワークアクセス装置が前記端末装置またはコアネットワークデバイスから送信した、前記補助ネットワークアクセス能力情報を含む第１のメッセージを受信することと、
前記主要ネットワークアクセス装置が前記第１のメッセージの中から、前記補助ネットワークアクセス能力情報を取得することと、
を含むことを特徴とする請求項１または２に記載の方法。
【請求項４】
前記主要ネットワークアクセス装置が、前記端末装置が送信した第１のメッセージを受信することは、
前記主要ネットワークアクセス装置が、前記端末装置が送信した、前記端末装置と前記第１の補助ネットワークアクセス装置との間の設定が有効になったことを示すための前記第１のメッセージを受信すること、
を含むことを特徴とする請求項３に記載の方法。
【請求項５】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項１から４のいずれか１項に記載の方法。
【請求項６】
前記主要ネットワークアクセス装置が、前記第１の補助ネットワークアクセス装置に補助接続追加リクエストメッセージを送信する前に、
前記主要ネットワークアクセス装置は、前記端末装置が送信した少なくとも１つの、対応する補助ネットワークアクセス装置と前記端末装置との間のリンク品質を示すための補助ネットワークアクセス装置の測定結果情報を受信することと、
前記主要ネットワークアクセス装置は、前記少なくとも１つの補助ネットワークアクセス装置における各補助ネットワークアクセス装置の測定結果情報に基づき、前記第１の補助ネットワークアクセス装置を決定することと、
を含むことを特徴とする請求項１から５のいずれか１項に記載の方法。
【請求項７】
前記方法は、さらに、
前記主要ネットワークアクセス装置が前記端末装置に前記第１の設定情報を送信することにより、前記端末装置が前記第１の設定情報に基づき、前記第１の補助ネットワークアクセス装置との間の補助接続を容易に確立すること
を含むことを特徴とする請求項１から６のいずれか１項に記載の方法。
【請求項８】
前記主要ネットワークアクセス装置は第１の通信システムにおけるネットワークデバイスであり、前記補助ネットワークアクセス装置は第２の通信システムにおけるネットワークデバイスである
ことを特徴とする請求項１から７のいずれか１項に記載の方法。
【請求項９】
補助接続の確立方法であって、
第１の補助ネットワークアクセス装置は、主要ネットワークアクセス装置から送信した、前記第１の補助ネットワークアクセス装置をデータ伝送のネットワークデバイスとして追加するようにリクエストするために用いられる、前記端末装置の補助ネットワークアクセス装置へのアクセスをサポートする能力を示すための補助ネットワークアクセス能力情報を含む、補助接続追加リクエストメッセージを受信することと、
前記第１の補助ネットワークアクセス装置は、前記補助ネットワークアクセス能力情報に基づき、前記第１の補助ネットワークアクセス装置と前記端末装置との間の補助接続を確立するための第１の設定情報を生成することと、
前記第１の補助ネットワークアクセス装置は、前記主要ネットワークアクセス装置に、前記第１の設定情報を含む前記補助接続追加リクエストメッセージの確認メッセージを送信することと、
を含むことを特徴とする補助接続の確立方法。
【請求項１０】
前記補助ネットワークアクセス能力情報は、前記端末装置の補助ネットワークアクセス装置にアクセスする最大能力を示すために用いられ、前記補助接続追加リクエストメッセージはさらに、前記端末装置が既に確立した補助接続の設定情報である第２の設定情報を含み、前記第１の補助ネットワークアクセス装置は、前記補助ネットワークアクセス能力情報に基づいて第１の設定情報を生成することは、
前記第１の補助ネットワークアクセス装置は、前記補助ネットワークアクセス能力情報と前記第２の設定情報に基づき、前記第１の設定情報を生成し、前記第１の設定情報と前記第２の設定情報が対応する設定の和は、前記補助ネットワークアクセス能力情報が示す前記端末装置の補助ネットワークアクセス装置へのアクセスをサポートする能力を超えないこと
を含むことを特徴とする請求項９に記載の方法。
【請求項１１】
前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項９に記載の方法。
【請求項１２】
前記主要ネットワークアクセス装置は、第１の通信システムにおけるネットワークデバイスであり、前記補助ネットワークアクセス装置は、第２の通信システムにおけるネットワークデバイスである
ことを特徴とする請求項９から１１のいずれか１項に記載の方法。
【請求項１３】
補助接続の確立方法であって、
端末装置は、主要ネットワークアクセス装置に、前記端末の、前記端末の補助ネットワークアクセス装置へのアクセスをサポートする能力を示すための補助ネットワークアクセス能力情報を送信することと、
前記端末装置は、前記主要ネットワークアクセス装置が送信した、前記第１の補助ネットワークアクセス装置と前記端末装置との間の補助接続を確立するための第１の設定情報を受信することと、
を含むことを特徴とする補助接続の確立方法。
【請求項１４】
前記端末装置が主要ネットワークアクセス装置に、前記端末装置の補助ネットワークアクセス能力情報を送信することは、
前記端末装置が前記主要ネットワークアクセス装置に、前記端末装置と前記第１の補助ネットワークアクセス装置との間の設定が有効になったことを示すために用いられる、前記補助ネットワークアクセス能力情報を含む第１のメッセージを送信すること、
を含むことを特徴とする請求項１３に記載の方法。
【請求項１５】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項１３から１４のいずれか１項に記載の方法。
【請求項１６】
前記方法は、さらに、
前記端末装置が前記第１の設定情報に基づき、前記第１の補助ネットワークアクセス装置との間の補助接続を確立すること、
を含むことを特徴とする請求項１３から１５のいずれか１項に記載の方法。
【請求項１７】
前記主要ネットワークアクセス装置は、第１の通信システムにおけるネットワークデバイスであり、前記補助ネットワークアクセス装置は、第２の通信システムにおけるネットワークデバイスである
ことを特徴とする請求項１３から１６のいずれか１項に記載の方法。
【請求項１８】
補助接続の確立装置であって、
前記装置は、
端末装置の、前記端末装置の補助ネットワークアクセス装置へのアクセスをサポートする能力を示すための補助ネットワークアクセス能力情報を取得するための取得ユニットと、
第１の補助ネットワークアクセス装置に、前記第１の補助ネットワークアクセス装置をデータ伝送のネットワークデバイスとして追加するようにリクエストするために用いられる、前記補助ネットワークアクセス能力情報を含む補助接続追加リクエストメッセージを送信するための第１の送信ユニットと、
前記第１の補助ネットワークアクセス装置から送信した、前記第１の補助ネットワークアクセス装置と前記端末装置との間の補助接続を確立するための第１の設定情報を含む、補助接続追加リクエストメッセージの確認メッセージを受信するための第１の受信ユニットと、
を含むことを特徴とする補助接続の確立装置。
【請求項１９】
前記補助接続追加リクエストメッセージは、さらに、前記端末装置が既に確立した補助接続の設定情報である第２の設定情報を含む
ことを特徴とする請求項１８に記載の装置。
【請求項２０】
前記取得ユニットは、具体的に、
前記端末装置またはコアネットワークデバイスが送信した、前記補助ネットワークアクセス能力情報を含む第１のメッセージを受信し、
前記第１のメッセージから、前記補助ネットワークアクセス能力情報を取得する、
ことに用いられることを特徴とする請求項１８または１９に記載の装置。
【請求項２１】
前記取得ユニットが受信した、前記端末装置から送信された前記第１のメッセージは、前記端末装置と当該第１の補助ネットワークアクセス装置との間の設定が有効になったことを示すために用いられる、
ことを特徴とする請求項２０に記載の装置。
【請求項２２】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項１８から２１のいずれか１項に記載の装置。
【請求項２３】
前記装置は、さらに、
前記端末装置が送信した少なくとも１つの、対応する補助ネットワークアクセス装置と前記端末装置との間のリンク品質を示すための補助ネットワークアクセス装置の測定結果情報を受信するための第２の受信ユニットと、
前記少なくとも１つの補助ネットワークアクセス装置における各補助ネットワークアクセス装置の測定結果情報に基づき、前記第１の補助ネットワークアクセス装置を決定するために用いられる決定ユニットと
を含むことを特徴とする請求項１８から２２のいずれか１項に記載の装置。
【請求項２４】
前記装置は、さらに、
前記端末装置に前記第１の設定情報を送信することにより、前記端末装置が前記第１の設定情報に基づき、前記第１の補助ネットワークアクセス装置との間の補助接続を容易に確立するための第２の送信ユニット
を含むことを特徴とする請求項１８から２３のいずれか１項に記載の装置。
【請求項２５】
前記装置は、第１の通信システムにおけるネットワークデバイスであり、前記補助ネットワークアクセス装置は、第２の通信システムにおけるネットワークデバイスである
ことを特徴とする請求項１８から２４のいずれか１項に記載の装置。
【請求項２６】
補助接続の確立装置であって、
前記装置は、
主要ネットワークアクセス装置から送信した、第１の補助ネットワークアクセス装置をデータ伝送のネットワークデバイスとして追加するようにリクエストするために用いられる、前記端末装置の補助ネットワークアクセス装置へのアクセスをサポートする能力を示すための補助ネットワークアクセス能力情報を含む、補助接続追加リクエストメッセージを受信するための受信ユニットと、
前記補助ネットワークアクセス能力情報に基づき、前記第１の補助ネットワークアクセス装置と前記端末装置との間の補助接続を確立する第１の設定情報を生成するための生成ユニットと、
前記主要ネットワークアクセス装置に、前記第１の設定情報を含む前記補助接続追加リクエストメッセージの確認メッセージを送信するための送信ユニットと、
を含むことを特徴とする補助接続の確立装置。
【請求項２７】
前記補助ネットワークアクセス能力情報は、前記端末装置の補助ネットワークアクセス装置にアクセスする最大能力を示すために用いられ、前記補助接続追加リクエストメッセージはさらに、前記端末装置が既に確立した補助接続の設定情報である第２の設定情報を含み、前記生成ユニットは、具体的に、
前記補助ネットワークアクセス能力情報と前記第２の設定情報に基づき、前記第１の設定情報を生成するために用いられ、
前記第１の設定情報と前記第２の設定情報が対応する設定の和は、前記補助ネットワークアクセス能力情報が示す前記端末装置の補助ネットワークアクセス装置へのアクセスをサポートする能力を超えない
ことを特徴とする請求項２６に記載の装置。
【請求項２８】
前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項２６に記載の装置。
【請求項２９】
前記主要ネットワークアクセス装置は、第１の通信システムにおけるネットワークデバイスであり、前記装置は第２の通信システムにおけるネットワークデバイスである
ことを特徴とする請求項２６から２８のいずれか１項に記載の装置。
【請求項３０】
補助接続の確立装置であって、
前記装置は、
主要ネットワークアクセス装置に、前記端末の、前記端末の補助ネットワークアクセス装置へのアクセスをサポートする能力を示すための補助ネットワークアクセス能力情報を送信するための送信ユニットと、
前記主要ネットワークアクセス装置が送信した、前記第１の補助ネットワークアクセス装置と前記端末装置との間の補助接続を確立する第１の設定情報を受信するための受信ユニットと、
を含むことを特徴とする補助接続の確立装置。
【請求項３１】
前記送信ユニットは、具体的に、
前記主要ネットワークアクセス装置に、前記端末装置と前記第１の補助ネットワークアクセス装置との間の設定が有効になったことを示すために用いられる、前記補助ネットワークアクセス能力情報を含む第１のメッセージを送信するために用いられる
ことを特徴とする請求項３０に記載の装置。
【請求項３２】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項３０または３１のいずれか１項に記載の装置。
【請求項３３】
前記装置は、さらに、
前記第１の設定情報に基づき、前記第１の補助ネットワークアクセス装置との間の補助接続を確立するために用いられるアクセスユニット
を含むことを特徴とする請求項３０から３２のいずれか１項に記載の装置。
【請求項３４】
前記主要ネットワークアクセス装置は、第１の通信システムにおけるネットワークデバイスであり、前記補助ネットワークアクセス装置は、第２の通信システムにおけるネットワークデバイスである
ことを特徴とする請求項３０から３３のいずれか１項に記載の装置。
【発明の詳細な説明】
【技術分野】
【０００１】
本発明は、通信の分野に関し、特に補助接続の確立方法および装置に関する。
【背景技術】
【０００２】
モバイルインターネットの急速な発展に伴い、モバイルトラフィックが爆発的に増加しており、トラフィックの増大に対応するために、ネットワークデバイスの構成がますます密集し、マクロ基地局と小型基地局の異種構成も普及しつつある。ユーザーデバイスがマクロ基地局と小型基地局のリソースを同時に利用できるように、マクロ基地局と小型基地局との間のデータ集合を実現する二重（多重）接続技術が現れる。
【０００３】
端末装置の多重（二重）接続には、１つの主要接続と１つ或いは複数の補助接続がある。主要接続は端末装置と主要ネットワークアクセス装置のネットワーク接続で、補助接続は端末装置と補助ネットワークアクセス装置のネットワーク接続である。端末装置のコントロールプレーンのデータは主要接続により伝送され、端末装置のユーザープレーンのデータはユーザープレーンのデータスループットを向上させるために２つの経路に分かれて２つの接続により同時に伝送されるか、またはメインネットワークアクセスの負荷を軽減するために、ユーザーデータは補助ネットワークアクセス装置により伝送される。よって、ユーザープレーンのデータスループットを向上また主要ネットワークアクセス装置の負荷を軽減するために、補助接続の確立方法が必要とされる。
【発明の概要】
【発明が解決しようとする課題】
【０００４】
本発明の実施例は、補助接続の確立方法および装置を提供し、ユーザープレーンのデータスループットを向上させ、主要ネットワークアクセス装置の負荷を軽減することができる。
【課題を解決するための手段】
【０００５】
第１の実施形態において、補助接続の確立方法を提供し、当該方法は、主要ネットワークアクセス装置が、端末装置の、当該端末装置の補助ネットワークアクセス装置へのアクセスをサポートする能力を示すための補助ネットワークアクセス能力情報を受信することと、当該主要ネットワークアクセス装置は、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信することと、当該主要ネットワークアクセス装置は、当該第１の補助ネットワークアクセス装置が送信した、当該第１の補助ネットワークアクセス装置と当該端末装置との間の補助接続を確立するための第１の設定情報を含む、補助接続追加リクエストメッセージの確認メッセージを受信することと、を含む。
【０００６】
端末装置の補助ネットワークアクセス装置へのアクセスをサポートする能力情報を第１の補助ネットワークアクセス装置に送信することで、第１の補助ネットワークアクセス装置は当該能力情報を考慮し、端末装置を構成することができ、従って、端末装置は第１の補助ネットワークアクセス装置との間の補助接続を確立し、ユーザープレーンのデータスループットを向上させ、および主要ネットワークアクセス装置の負荷を軽減することができる。
【０００７】
第１の実施形態を組み合わせ、第１の実施形態の第１種の実現可能な態様において、当該補助接続追加リクエストメッセージは、さらに、当該端末装置が既に確立した補助接続の設定情報である第２の設定情報を含む。
【０００８】
端末装置が既に確立した補助接続の設定情報を第１の補助ネットワークアクセス装置に送信することで、第１の補助ネットワークアクセス装置は、補助ネットワークアクセス能力情報と第２の設定情報を同時に考慮し、端末装置を構成することができ、それにより端末装置は第１の補助ネットワークアクセス装置との間の補助接続を確立することが可能になる。
【０００９】
第１の実施形態の上記の実現可能な態様を組み合わせ、在第１の実施形態の第２種の実現可能な態様において、当該主要ネットワークアクセス装置が、端末装置の補助ネットワークアクセス能力情報を取得することは、当該主要ネットワークアクセス装置が当該端末装置またはコアネットワークデバイスから送信した、当該補助ネットワークアクセス能力情報を含む第１のメッセージを受信することと、当該主要ネットワークアクセス装置が当該第１のメッセージの中から、当該補助ネットワークアクセス能力情報を取得することと、を含む。
【００１０】
本発明の実施例において、端末装置はアタッチする際に、端末装置の補助ネットワークアクセス能力情報をコアネットワークデバイスに送信し、それによりコアネットワークデバイスは、当該補助ネットワークアクセス能力情報を主要ネットワークアクセス装置に転送することができる。
【００１１】
第１の実施形態の上記の実現可能な態様を組み合わせ、第１の実施形態の第３種の実現可能な態様において、当該主要ネットワークアクセス装置は、当該端末装置が送信した第１のメッセージを受信することは、当該主要ネットワークアクセス装置は、当該端末装置が送信した、当該端末装置と当該第１の補助ネットワークアクセス装置との間の設定が有効になったことを示すために用いられる第１のメッセージを受信することを含む。
【００１２】
第１の実施形態の上記の実現可能な態様を組み合わせ、第１の実施形態の第４種の実現可能な態様において、当該補助ネットワークアクセス能力情報は、当該端末装置の補助ネットワークアクセス装置にアクセスする最大能力を示すために用いられ、または、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００１３】
本発明の実施例において、補助ネットワークアクセス能力情報は、端末装置の補助ネットワークアクセス装置にアクセスする全ての能力情報であってもよいし、端末装置が全ての補助ネットワーク接続において使用できるネットワークアクセス能力情報であってよく、また、端末装置が次回の補助ネットワーク構成において使用できるネットワークアクセス能力情報であってもよい。
【００１４】
第１の実施形態の上記の実現可能な態様を組み合わせ、第１の実施形態の第５種の実現可能な態様において、当該主要ネットワークアクセス装置が、当該第１の補助ネットワークアクセス装置に追加リクエストメッセージを送信する前に、当該主要ネットワークアクセス装置は、当該端末装置が送信した少なくとも１つの、対応する補助ネットワークアクセス装置と当該端末装置との間のリンク品質を示すための補助ネットワークアクセス装置の測定結果情報を受信することと、当該主要ネットワークアクセス装置は、当該少なくとも１つの補助ネットワークアクセス装置における各補助ネットワークアクセス装置の測定結果情報に基づき、当該第１の補助ネットワークアクセス装置を決定することと、を含む。
【００１５】
第１の実施形態の上記の実現可能な態様を組み合わせ、第１の実施形態の第６種の実現可能な態様において、当該方法は、さらに、当該主要ネットワークアクセス装置が当該端末装置に当該第１の設定情報を送信することにより、当該端末装置が当該第１の設定情報に基づき、当該第１の補助ネットワークアクセス装置との間の補助接続を容易に確立することを含む。
【００１６】
第１の実施形態の上記の実現可能な態様を組み合わせ、第１の実施形態の第７種の実現可能な態様において、当該主要ネットワークアクセス装置は、第１の通信システムにおけるネットワークデバイスであり、当該補助ネットワークアクセス装置は、第２の通信システムにおけるネットワークデバイスである。
【００１７】
２つのシステムにおいて補助接続を確立するようにサポートし、それにより補助接続の確立方法を柔軟にする。
【００１８】
好ましくは、当該第１の通信システムはロング・ターム・エボリューションＬＴＥシステムであり、当該第２の通信システムはニューラジオ(Ｎｅｗ Ｒａｄｉｏ、ＮＲ)システムである。
【００１９】
第２の実施形態は、補助接続の確立方法を提供し、当該方法は、第１の補助ネットワークアクセス装置は、主要ネットワークアクセス装置から送信した、第１の補助ネットワークアクセス装置をデータ伝送のネットワークデバイスとして追加するようにリクエストするために用いられる、当該端末装置の補助ネットワークアクセス装置へのアクセスをサポートする能力を示すための補助ネットワークアクセス能力情報を含む、補助接続追加リクエストメッセージを受信することと、当該第１の補助ネットワークアクセス装置は、当該補助ネットワークアクセス能力情報に基づき、当該第１の補助ネットワークアクセス装置と当該端末装置との間の補助接続を確立するための第１の設定情報を生成することと、当該第１の補助ネットワークアクセス装置は、当該主要ネットワークアクセス装置に、当該第１の設定情報を含む当該補助接続追加リクエストメッセージの確認メッセージを送信することと、を含む。
【００２０】
端末装置の補助ネットワークアクセス装置へのアクセスをサポートする能力情報を、第１の補助ネットワークアクセス装置に送信することで、第１の補助ネットワークアクセス装置は当該能力情報を考慮し、端末装置を構成することができ、それにより、端末装置は第１の補助ネットワークアクセス装置との間の補助接続を確立することができ、ユーザープレーンのデータスループットを向上させ、および主要ネットワークアクセス装置の負荷を軽減することができる。
【００２１】
第２の実施形態を組み合わせ、第２の実施形態の第１種の実現可能な態様において、当該補助ネットワークアクセス能力情報は、当該端末装置の補助ネットワークアクセス装置にアクセスする最大能力を示すために用いられ、当該補助接続追加リクエストメッセージはさらに、当該端末装置が既に確立した補助接続の設定情報である第２の設定情報を含み、当該第１の補助ネットワークアクセス装置は、当該補助ネットワークアクセス能力情報に基づいて第１の設定情報を生成することは、当該第１の補助ネットワークアクセス装置は、当該補助ネットワークアクセス能力情報と当該第２の設定情報に基づき、当該第１の設定情報を生成し、当該第１の設定情報と当該第２の設定情報が対応する設定の和は、当該補助ネットワークアクセス能力情報が示す当該端末装置の補助ネットワークアクセス装置へのアクセスをサポートする能力を超えないこと、を含む。
【００２２】
本発明の実施例において、第１の補助ネットワークアクセス装置は、全ての補助接続の構成が、第１種の実現可能な態様に関連する、端末装置の補助ネットワークアクセス能力情報を超えないことを保証する必要がある。
【００２３】
第２の実施形態の上記の実現可能な態様を組み合わせ、第２の実施形態の第２種の実現可能な態様において、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００２４】
本発明の実施例において、第１の補助ネットワークアクセス装置は、全ての補助接続の構成が、第２種の実現可能な態様に関連する、端末装置の補助ネットワークアクセス能力情報を超えないことを保証する必要がある。
【００２５】
第３の実施形態は、接続の確立方法を提供し、当該方法は、端末装置が主要ネットワークアクセス装置に、当該端末の、当該端末の補助ネットワークアクセス装置へのアクセスをサポートする能力を示すための補助ネットワークアクセス能力情報を送信することと、当該端末装置は、当該主要ネットワークアクセス装置が送信した、当該第１の補助ネットワークアクセス装置と当該端末装置との間の補助接続を確立するための第１の設定情報を受信することと、を含む。
【００２６】
端末装置の補助ネットワークアクセス装置へのアクセスをサポートする能力情報を第１の補助ネットワークアクセス装置に報告することで、第１の補助ネットワークアクセス装置は当該能力情報を考慮し、端末装置を構成することができ、従って、端末装置は第１の補助ネットワークアクセス装置との間の補助接続を確立することができ、それによりユーザープレーンのデータスループットを向上させ、および主要ネットワークアクセス装置の負荷を軽減することができる。
【００２７】
第３の実施形態を組み合わせ、第３の実施形態の第１種の実現可能な態様において、当該端末装置が主要ネットワークアクセス装置に、当該端末装置の補助ネットワークアクセス能力情報を送信することは、当該端末装置が当該主要ネットワークアクセス装置に、当該端末装置と当該第１の補助ネットワークアクセス装置との間の設定が有効になったことを示すために用いられ、当該補助ネットワークアクセス能力情報を含む第１のメッセージを送信すること、を含む。
【００２８】
第３の実施形態の上記の実現可能な態様を組み合わせ、第３の実施形態の第２種の実現可能な態様において、当該補助ネットワークアクセス能力情報は、当該端末装置の補助ネットワークアクセス装置にアクセスする最大能力を示すために用いられ、または、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００２９】
第３の実施形態の上記の実現可能な態様を組み合わせ、第３の実施形態の第３種の実現可能な態様において、当該方法はさらに、当該端末装置が当該第１の設定情報に基づき、当該第１の補助ネットワークアクセス装置との間の補助接続を確立することを含む。
【００３０】
第４の実施形態は、補助接続の確立装置を提供し、上記の第１の実施形態または第１の実施形態のいずれかの実現可能な態様における方法を実行するために用いられ、具体的には、当該装置は、上記の第１の実施形態または第１の実施形態のいずれかの実現可能な態様における方法を実行するために用いられるユニットを含む。
【００３１】
第５の実施形態は、補助接続の確立装置を提供し、上記の第２の実施形態または第２の実施形態のいずれかの実現可能な態様における方法を実行するために用いられ、具体的には、当該装置は、上記の第２の実施形態または第２の実施形態のいずれかの実現可能な態様における方法を実行するために用いられるユニットを含む。
【００３２】
第６の実施形態は、補助接続の確立装置を提供し、上記の第３の実施形態または第３の実施形態のいずれかの実現可能な態様における方法を実行するために用いられ、具体的には、当該装置は、上記の第３の実施形態または第３の実施形態のいずれかの実現可能な態様における方法を実行するために用いられるユニットを含む。
【００３３】
第７の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第１の実施形態の方法を実行し、かつ入力/出力インタフェースが入力されたデータと情報を受信し、操作結果等のデータを出力するように制御する。
【００３４】
第８の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第２の実施形態の方法を実行し、かつ入力/出力インタフェースが入力されたデータと情報を受信し、操作結果等のデータを出力するように制御する。
【００３５】
第９の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第３の実施形態の方法を実行し、かつ入力/出力インタフェースが入力されたデータと情報を受信し、操作結果等のデータを出力するように制御する。
【００３６】
第１０の実施形態は、コンピュータ可読媒体を提供し、コンピュータプログラムを記憶するために用いられ、当該コンピュータプログラムは、第１の実施形態または第１の実施形態のいずれかの実現可能な態様における方法を実行するために用いられる命令を含む。
【００３７】
第１１の実施形態は、コンピュータ可読媒体を提供し、コンピュータプログラムを記憶するために用いられ、当該コンピュータプログラムは、第２の実施形態または第２の実施形態のいずれかの実現可能な態様における方法を実行するために用いられる命令を含む。
【００３８】
第１２の実施形態は、コンピュータ可読媒体を提供し、コンピュータプログラムを記憶するために用いられ、当該コンピュータプログラムは、第３の実施形態または第３の実施形態のいずれかの実現可能な態様における方法を実行するために用いられる命令を含む。
【００３９】
本発明において、端末装置と、主要ネットワークアクセス装置と、補助ネットワークアクセス装置およびコアネットワークデバイスの名称は、デバイスそのものを限定するものでなく、実際の実施態様において、これらのデバイスの名称は変更可能である。各デバイスの機能が本発明と類似する限り、本発明の請求項およびその同等の技術範囲内にある。
【００４０】
本発明のこれらの態様またはその他の態様は、以下の実施例の説明において分かりやすくなる。
【図面の簡単な説明】
【００４１】
本発明の実施例の技術的解決手段をより明確に説明するために、以下、本発明の実施例で使用する必要がある図面を簡単に説明する。当然のことながら、以下に説明する図面は、本発明の一部の実施例に過ぎず、当業者であれば、創造的な労力を要することなく、さらにこれらの図面に基づいて他の図面を得ることができる。
【図１】本発明に係る実施例のアプリケーションシーンを示す図である。
【図２】本発明に係る実施例の補助接続の確立方法を示すブロック図である。
【図３】本発明に係る実施例の補助接続の確立方法を示す他のブロック図である。
【図４】本発明に係る実施例の補助接続の確立方法を示すさらに他のブロック図である。
【図５】本発明に係る実施例の補助接続の確立方法を示すフローチャートである。
【図６】本発明に係る実施例の補助接続の確立方法を示す他のフローチャートである。
【図７】本発明に係る実施例の補助接続の確立装置を示すブロック図である。
【図８】本発明に係る実施例の補助接続の確立装置を示す他のブロック図である。
【図９】本発明に係る実施例の補助接続の確立装置を示すさらに他のブロック図である。
【図１０】本発明に係る実施例の補助接続の確立装置を示すさらに他のブロック図である。
【図１１】本発明に係る実施例の補助接続の確立装置を示すさらに他のブロック図である。
【図１２】本発明に係る実施例の補助接続の確立装置を示すさらに他のブロック図である。
【発明を実施するための形態】
【００４２】
以下、本発明の実施例における図面を組み合わせ、本発明の実施例における技術的解決手段を明確に、完全に説明する。明らかに、説明された実施例は本発明の一部の実施例であり、全ての実施例ではない。本発明における実施例に基づき、当業者は創造的な労力を要することなく得られた全ての他の実施例は、いずれも本発明の保護範囲にあるべきである。
【００４３】
本発明に係る実施例の技術的解決手段は、例えば、汎欧州デジタル移動電話方式(Ｇｌｏｂａｌ Ｓｙｓｔｅｍ ｆｏｒ Ｍｏｂｉｌｅ ｃｏｍｍｕｎｉｃａｔｉｏｎ、略称“ＧＳＭ”)システム、符号分割多元接続(Ｃｏｄｅ Ｄｉｖｉｓｉｏｎ Ｍｕｌｔｉｐｌｅ Ａｃｃｅｓｓ、略称“ＣＤＭＡ”)システム、広帯域符号分割多元接続(Ｗｉｄｅｂａｎｄ Ｃｏｄｅ Ｄｉｖｉｓｉｏｎ Ｍｕｌｔｉｐｌｅ Ａｃｃｅｓｓ、略称“ＷＣＤＭＡ”)システム、汎用パケット無線サービス(Ｇｅｎｅｒａｌ Ｐａｃｋｅｔ Ｒａｄｉｏ Ｓｅｒｖｉｃｅ、略称“ＧＰＲＳ”)、ロング・ターム・エボリューション(Ｌｏｎｇ Ｔｅｒｍ Ｅｖｏｌｕｔｉｏｎ、略称“ＬＴＥ”)システム、ＬＴＥ周波数分割複信(Ｆｒｅｑｕｅｎｃｙ Ｄｉｖｉｓｉｏｎ Ｄｕｐｌｅｘ、略称“ＦＤＤ”)システム、ＬＴＥ時分割複信(Ｔｉｍｅ Ｄｉｖｉｓｉｏｎ Ｄｕｐｌｅｘ、略称“ＴＤＤ”)、ユニバーサル移動体通信システム(Ｕｎｉｖｅｒｓａｌ Ｍｏｂｉｌｅ Ｔｅｌｅｃｏｍｍｕｎｉｃａｔｉｏｎ Ｓｙｓｔｅｍ、略称“ＵＭＴＳ”)、マイクロ波を利用した世界標準の通信方式(Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、略称“ＷｉＭＡＸ”)通信システムおよび将来、出現可能な通信システム等の様々な通信システムに適用できることを理解すべきである。
【００４４】
さらに、理解すべきものとして、本発明の実施例において、端末装置はユーザーデバイス(Ｕｓｅｒ Ｅｑｕｉｐｍｅｎｔ、略称“ＵＥ”)、端末装置、モバイルステーション(Ｍｏｂｉｌｅ Ｓｔａｔｉｏｎ、略称“ＭＳ”)、モバイルターミナル(Ｍｏｂｉｌｅ Ｔｅｒｍｉｎａｌ)または将来５Ｇネットワークにおける端末装置等と呼ばれることが可能であり、当該端末装置は無線アクセスネットワーク(Ｒａｄｉｏ Ａｃｃｅｓｓ Ｎｅｔｗｏｒｋ、略称“ＲＡＮ”)を介して１つまたは複数のコアネットワークと通信することができ、例えば、ターミナルは担持電話(または“セルラー”電話と呼ぶ)或いはモバイルターミナルを有するコンピュータ等であってもよく、例えば、ターミナルはさらに担持型、ポケット型、ハンドヘルド型、コンピュータ内蔵型または車載型モバイルデバイスであってもよく、それらは無線アクセスネットワークと音声および/またはデータを交換する。
【００４５】
主要ネットワークアクセス装置と補助ネットワークアクセス装置は、モバイルデバイスとの通信に用いられ、ネットワークアクセス装置は汎欧州デジタル移動電話方式(Ｇｌｏｂａｌ Ｓｙｓｔｅｍ ｆｏｒ Ｍｏｂｉｌｅ ｃｏｍｍｕｎｉｃａｔｉｏｎ、略称“ＧＳＭ”)システムまたは符号分割多元接続(Ｃｏｄｅ Ｄｉｖｉｓｉｏｎ Ｍｕｌｔｉｐｌｅ Ａｃｃｅｓｓ、略称“ＣＤＭＡ”)システムにおける基地局(Ｂａｓｅ Ｔｒａｎｓｃｅｉｖｅｒ Ｓｔａｔｉｏｎ、略称“ＢＴＳ”)であってもよく、広帯域符号分割多元接続(Ｗｉｄｅｂａｎｄ Ｃｏｄｅ Ｄｉｖｉｓｉｏｎ Ｍｕｌｔｉｐｌｅ Ａｃｃｅｓｓ、略称“ＷＣＤＭＡ”)システムにおける基地局(ＮｏｄｅＢ、略称“ＮＢ”)であってもよく、さらに、ＬＴＥにおける進化型基地局(Ｅｖｏｌｕｔｉｏｎａｌ Ｎｏｄｅ Ｂ、略称“ｅＮＢ”または“ｅＮｏｄｅＢ”)、もしくは中継局やアクセスポイント、或いは車載型デバイス、ウェアラブルデバイスおよび将来の５Ｇネットワークにおけるネットワークアクセス装置であってもよい。
【００４６】
コアネットワークデバイスはモビリティ・マネジメント・エンティティ(Ｍｏｂｉｌｉｔｙ Ｍａｎａｇｅｍｅｎｔ Ｅｎｔｉｔｙ、略称“ＭＭＥ”)であってもよく、サービング・ゲートウェイ(Ｓｅｒｖｉｎｇ Ｇａｔｅｗａｙ、略称“Ｓ-ＧＷ”)またはパケットデータゲートウェイ(ＰＤＮ Ｇａｔｅｗａｙ、“Ｐ-ＧＷ”)であってもよく、本出願はそれを限定しない。
【００４７】
ベアラは、無線アクセスネットワーク(ＲＡＮ、Ｒａｄｉｏ Ａｃｃｅｓｓ Ｎｅｔｗｏｒｋ)側がユーザーサービスの容量、遅延、およびビットレートを制御する基本単位である。一人のユーザーは、複数のベアラを使用して異なるサービスを実行することができる。
【００４８】
本発明の実施例において、主要ネットワークアクセス装置は、例えば、マクロ基地局(Ｍａｃｒｏｃｅｌｌ)であってもよく、補助ネットワークアクセス装置は、例えば、マイクロセル基地局(Ｍｉｃｒｏｃｅｌｌ)、ピコセル基地局(Ｐｉｃｏｃｅｌｌ)、またはフェムトセル基地局(Ｆｅｍｔｏｃｅｌｌ)であってもよいが、本発明の実施例はこれに限定されない。
【００４９】
さらに具体的には、当該主要ネットワークアクセス装置はＬＴＥネットワークデバイスであってもよく、当該補助ネットワークアクセス装置はＮＲネットワークデバイスであってもよい。本発明の実施例はこれに限定されず、当該主要ネットワークアクセス装置はさらに、ＧＳＭネットワークデバイス、ＣＤＭＡネットワークデバイス等であってもよく、当該補助ネットワークアクセス装置は、ＧＳＭネットワークデバイス、ＣＤＭＡネットワークデバイス等であってもよく、本発明の実施例はこれを限定しないことを理解すべきである。
【００５０】
図１は本発明に係る１つのアプリケーションシーンを示す図であり、端末装置周囲のネットワークは主要ネットワークアクセス装置１１０と少なくとも１つの補助ネットワークアクセス装置１２０を含み、当該主要ネットワークアクセス装置１１０はＬＴＥネットワークであってもよく、当該補助ネットワークアクセス装置１２０はＮＲネットワークであってもよい。端末装置１３０は、主要ネットワークアクセス装置１１０と補助ネットワークアクセス装置１２０によって接続を同時に確立することができ、端末装置１３０と主要ネットワークアクセス装置１１０によって確立された接続は主要接続であり、端末装置１３０と補助ネットワークアクセス装置１２０によって確立された接続は補助接続である。端末装置１３０のコントロールプレーンのデータは主要接続により伝送することができ、端末装置のユーザープレーンのデータは主要接続と補助接続により同時に伝送することができ、補助接続のみにより伝送することもできる。本発明の実施例において、主要ネットワークアクセス装置１１０は、プリセット条件を満たす補助ネットワークアクセス装置１２０を選択して端末装置１３０のコントロールプレーンのデータを伝送してもよく、それにより、主要ネットワークアクセス装置１１０の負荷をさらに軽減することができ、例えば、当該プリセット条件は、補助ネットワークアクセス装置１２０と端末装置１３０との間のリンク品質がデータ伝送を満たす条件であってもよい。
【００５１】
本発明の実施例において、補助ネットワークアクセス装置１２０をサービス要求とユーザー密度に基づいて柔軟に配置することができ、その作用としては、主要ネットワークアクセス装置１１０をアシスタントしてデータを分担することであり、当該データは、端末装置１３０のユーザープレーンのデータとコントロールプレーンのデータを含んでもよく、補助ネットワークアクセス装置１２０の配置は連続しなくてもよく、隣接するサブ・セル間にも大きい面積の重複が許容され、本発明の実施例はこれを限定しない。
【００５２】
理解すべきものとして、本発明の実施例はＬＴＥ+ＮＲシステムへの応用を例にして説明するが、本発明はこれに限定されるものではない。また、“システム”と“ネットワーク”という用語は、本明細書では交換可能に使用される。本明細書における用語“および/または”は、関連対象を説明する関連関係のものだけであり、３種類の関係が存在してもよいことを表し、例えば、“Ａおよび/またはＢ”は、Ａが独立して存在し、ＡとＢが同時に存在し、Ｂが独立して存在するという３種類の状況を表すことができる。また、本明細書における符号“/”は通常、前後の関連対象が“または”の関係にあることを表す。
【００５３】
図２は本発明に係る実施例の補助接続の確立方法２００を示すブロック図であり、当該方法２００は、主要ネットワークアクセス装置は、端末装置の、当該端末装置の補助ネットワークアクセス装置へのアクセスをサポートする能力を示すための補助ネットワークアクセス能力情報を受信するＳ２１０と、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信するＳ２２０と、当該第１の補助ネットワークアクセス装置が送信した、当該第１の補助ネットワークアクセス装置と当該端末装置との間の補助接続を確立するための第１の設定情報を含む、補助接続追加リクエストメッセージの確認メッセージを受信するＳ２３０と、を含む。
【００５４】
理解すべきものとして、当該補助ネットワークアクセス能力情報は、端末装置が補助ネットワークアクセス装置に接続される全ての能力情報であってもよく、または端末装置が全ての補助ネットワーク接続において使用できるネットワークアクセス能力情報であってもよく、さらに端末装置が追加すべきネットワークアクセス装置に接続される、使用可能なネットワークアクセス能力情報であってもよい。当該補助ネットワークアクセス能力情報は、端末装置が上記の第１の補助ネットワークアクセス装置に接続される能力情報を含めばよく、本発明はこれを限定しない。例えば、キャリアアグリゲーション能力、一度にスケジューリングできる最大データブロック等である。例に挙げれば、ＬＴＥ通信システムにおいて、当該端末装置は最も多く３２個のキャリアアグリゲーションをサポートし、端末装置が主要ネットワークアクセス装置へ送信できる補助ネットワークアクセス能力情報に含まれるキャリアアグリゲーション能力は、３２であってもよいし、端末装置がサービス状況に応じて割り当てた５であってもよい。要するに、端末装置の複数の補助接続された設定情報へのアクセスに対応する補助接続能力は、当該補助ネットワークアクセス能力情報が示した、端末装置の補助ネットワーク接続にアクセスする最大能力以下である。
【００５５】
端末装置がアイドル状態にある際、主要ネットワークアクセス装置周囲の補助ネットワークアクセス装置を測定することができる。選択的に、端末装置の補助ネットワークアクセス装置に対する測定について、ネットワークプロトコル規定に基づいて測定してもよいし、主要ネットワークアクセス装置の構成に基づいて測定してもよく、例えば、プロトコル規定または主要ネットワークアクセス装置の構成に基づき、一定の間隔周期内に当該主要ネットワークアクセス装置周囲の補助ネットワークアクセス装置を測定する。選択的に、端末装置は、受信したシステム情報におけるネットワークの設定情報に基づき、補助ネットワークアクセス装置を測定してもよい。本発明の実施例はこれを限定しない。この時、端末装置はまず１つの補助ネットワークアクセス装置を決定して追加してもよく、例えば、当該端末装置は、第１の補助ネットワークアクセス装置をデータ伝送のネットワークデバイスとして追加することを決定し、端末装置が補助ネットワークアクセス装置にアクセスする最大能力に基づき、一部の能力を第１の補助ネットワークアクセス装置に割り当て、そして主要ネットワークアクセス装置に報知し、報知メッセージにおいて当該割り当てられた能力および当該第１の補助ネットワークアクセス装置の識別情報が担持され、それにより主要ネットワークアクセス装置が当該割り当てられた能力を第１の補助ネットワークアクセス装置に送信する。
【００５６】
さらに、前記補助接続はデータ伝送に用いられ、前記データは第１のコントロールプレーンデータおよび/またはユーザープレーンデータを含むことも理解すべきである。
【００５７】
具体的には、主要ネットワークアクセス装置は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、主要ネットワークアクセス装置が当該設定情報を受信した後、当該設定情報を端末装置に転送することにより、第１の補助ネットワークアクセス装置と当該端末装置との間の補助接続を確立する。
【００５８】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００５９】
本発明の実施例において、端末装置は、主要ネットワークアクセス装置にアクセスする過程において、補助ネットワークアクセス能力情報を主要ネットワークアクセス装置に送信することができ、当該端末装置の主要ネットワークアクセス装置にアクセスする過程は、端末装置がアイドル状態でデータ伝送を必要とする場合、第１の主要ネットワークアクセス装置にアクセスする過程であってもよく、または、端末装置がデータ接続の状態にある場合、端末装置をサービスするネットワークデバイスは、第２の主要ネットワークアクセス装置から第１の主要ネットワークアクセス装置に切り替える必要があり、当該第１の主要ネットワークアクセス装置にアクセスする過程であってもよい。具体的に、当該端末装置の当該第１の主要ネットワークアクセス装置にアクセスする過程が、アクセス過程のどのステップであるかについて、本発明の実施例は限定しない。当該端末装置はさらに、既に主要ネットワークアクセス装置にアクセスし、即ち、当該端末は、主要ネットワークアクセス装置との間のベアラを確立した状態で、主要ネットワークアクセス装置にアクセスすることもできる。
【００６０】
さらに、補助接続はデータ伝送に用いられ、データはユーザープレーンデータとコントロールプレーンデータを含み、第１の補助ネットワークアクセス装置はユーザープレーンデータを伝送することができ、またコントロールプレーンデータを伝送することもできる。主要ネットワークアクセス装置と端末装置との間の接続を主要接続と呼ぶことができ、当該主要接続はユーザープレーンデータを伝送することができ、またコントロールプレーンデータを伝送することもできる。即ち、端末装置のユーザープレーンデータは主要接続または補助接続のみにより伝送されてもよく、またはユーザープレーンデータが主要接続と補助接続により共同伝送されてもよい。端末装置のコントロールプレーンデータは主要接続または補助接続のみにより伝送されてもよく、またはコントロールプレーンデータが主要接続と補助接続により共同伝送されてもよい。本発明に係る実施例はデータの伝送方式を限定しない。
【００６１】
さらに、データは、上りコントロールプレーンデータおよび上りユーザープレーンデータを含む上りデータと、下りコントロールプレーンデータおよび下りユーザープレーンデータを含む下りデータと、を含む。即ち、本発明における伝送は上り伝送および/または下り伝送であることを理解すべきである。
【００６２】
選択可能な１つの実施例として、当該補助接続追加リクエストメッセージはさらに、当該端末装置が既に確立した補助接続の設定情報である第２の設定情報を含む。
【００６３】
具体的には、当該補助ネットワークアクセス能力情報は、端末装置の補助ネットワークアクセス装置にアクセスする最大能力、即ち従来技術における端末装置のアクセス能力パラメータを示すために用いられ、例えば、１つの伝送時間間隔(Ｔｒａｎｓｍｉｓｓｉｏｎ Ｔｉｍｅ Ｉｎｔｅｒｖａｌ、ＴＴＩ)内に下り共有チャンネルのベアラする総ビット数、ソフトチャンネルの総ビット数または空間分割多重をサポートする最大層数等である。主要ネットワークアクセス装置は、第１の補助ネットワークアクセス装置へ送信する補助接続追加リクエストメッセージにおいて、当該補助ネットワークアクセス能力情報と端末装置が既に確立した補助接続の設定情報を担持することができ、それにより、第１の補助ネットワークアクセス装置が第１の設定情報を生成するとともに、当該補助接続追加リクエストメッセージにおける補助ネットワークアクセス能力情報と第２の設定情報を考慮する。例えば、全ての補助接続の構成を当該補助ネットワークアクセス能力情報の示した端末装置のネットワークアクセス能力以下にすることができる。
【００６４】
選択的に、当該補助接続追加リクエストメッセージは、さらに当該補助ネットワークアクセス装置の測定結果情報、サービス品質(Ｑｕａｌｉｔｙ ｏｆ Ｓｅｒｖｉｃｅ、略称“ＱｏＳ”)等を担持することができ、補助ネットワークアクセス装置がこれらの情報に基づいて補助接続の確立を許可するか否かを決定し、そして補助ネットワークアクセス装置がこれらの情報および補助ネットワークアクセス装置現在の負荷状態に基づき、補助接続の確立を許可する場合、当該補助接続追加リクエストメッセージに基づいて補助接続の確立の設定情報を生成し、主要ネットワークアクセス装置に、補助接続追加リクエストメッセージの確認メッセージを返信し、当該確認メッセージには補助接続の設定情報が担持され、当該補助接続の設定情報は補助接続を確立するために用いられる。補助ネットワークアクセス装置はこれらの情報に基づき、補助接続の確立を許可しないと決定する場合、第１の主要ネットワークアクセス装置に失敗指示メッセージを返信し、当該失敗指示メッセージには、補助ネットワークアクセス装置のＱｏＳがデータの伝送を満たさず、補助ネットワークアクセス装置のリンク品質が劣り、補助ネットワークアクセス装置の現在処理が輻輳状態にあるという補助接続の確立を許可しない原因が担持される。主要ネットワークアクセス装置が、端末装置から報告した当該補助ネットワークアクセス装置の測定結果情報を再び受信する時、当該主要ネットワークアクセス装置は、当該失敗指示情報における失敗原因に基づき、当該第１の補助ネットワークアクセス装置に当該測定結果情報を送信するか否かを決定することができる。例えば、当該第１の補助ネットワークアクセス装置の失敗原因がネットワーク輻輳である場合、当該第１の補助ネットワークアクセス装置の測定結果情報を再び受信する時、当該第１の補助ネットワークアクセス装置に測定結果情報を送信しなくてもよく、このようにすれば消費電力を減少することができる。
【００６５】
１つの選択可能な実施例として、端末装置は、主要ネットワークアクセス装置に発信した無線リソース制御(Ｒａｄｉｏ Ｒｅｓｏｕｒｃｅ Ｃｏｎｔｒｏｌ、ＲＲＣ)接続の確立リクエストメッセージに当該補助ネットワークアクセス能力情報を担持することができる。ＲＲＣ接続の確立が完了した後、端末装置は、主要ネットワークアクセス装置に送信したＲＲＣ接続の確立完了メッセージに、当該補助ネットワークアクセス能力情報を担持することができる。さらに、端末装置は、主要ネットワークアクセス装置に送信したＲＲＣ再構成完了メッセージに、当該補助ネットワークアクセス能力情報を担持することができ、端末装置は、主要ネットワークアクセス装置に発信したいずれのエアインタフェースメッセージに、当該補助ネットワークアクセス能力情報を担持することができ、本発明はこれを限定しない。
【００６６】
さらに、主要ネットワークアクセス装置は、コアネットワークデバイスから、当該端末装置の補助ネットワークアクセス能力情報を取得することができる。例えば、端末装置は初めて起動してアタッチ過程を行う際に、当該補助ネットワークアクセス能力情報をネットワークアタッチトストレージ(Ｎｅｔｗｏｒｋ Ａｔｔａｃｈｅｄ Ｓｔｏｒａｇｅ、ＮＡＳ)情報によりコアネットワークデバイスに送信する。
【００６７】
１つの選択可能な実施例として、当該主要ネットワークアクセス装置が当該第１の補助ネットワークアクセス装置に補助接続追加リクエストメッセージを送信する前に、当該主要ネットワークアクセス装置は、当該端末装置が送信した少なくとも１つの、対応する補助ネットワークアクセス装置と当該端末装置との間のリンク品質を示すための補助ネットワークアクセス装置の測定結果情報を受信することと、当該主要ネットワークアクセス装置は、当該少なくとも１つの補助ネットワークアクセス装置における各補助ネットワークアクセス装置の測定結果情報に基づき、当該第１の補助ネットワークアクセス装置を決定することと、を含む。
【００６８】
具体的には、端末装置は、複数の補助ネットワークアクセス装置の測定結果情報を、主要ネットワークアクセス装置へのアクセス過程において、主要ネットワークアクセス装置に送信することができ、主要ネットワークアクセス装置は、端末装置の測定結果情報を受信した後、当該測定結果情報に基づき、いずれの補助ネットワークアクセス装置を追加するかを決定し、端末装置が複数の補助ネットワークアクセス装置の測定結果情報を主要ネットワークアクセス装置に送信することで、補助ネットワークアクセス装置をデータ伝送のネットワークデバイスとして選択することができ、データをできるだけ早く補助ネットワークアクセス装置に分流することができ、それにより、主要ネットワークアクセス装置によって確立された補助接続は、できるだけ早く主要ネットワークアクセス装置のためにデータを分流することができ、主要ネットワークアクセス装置の伝送負荷を軽減することができる。
【００６９】
１つの選択可能な実施例として、当該方法はさらに、当該主要ネットワークアクセス装置が当該端末装置に当該第１の設定情報を送信することを含み、それにより当該端末装置が当該第１の設定情報に基づき、前記第１の補助ネットワークアクセス装置との間の補助接続を確立することに役立つ。
【００７０】
選択的に、当該主要ネットワークアクセス装置は第１の通信システムにおけるネットワークデバイスであり、当該補助ネットワークアクセス装置は第２の通信システムにおけるネットワークデバイスである。好ましくは、当該主要ネットワークアクセス装置はＬＴＥシステムにおけるネットワークデバイスであり、当該補助ネットワークアクセス装置はニューラジオＮＲシステムにおけるネットワークデバイスである。
【００７１】
図３は本発明に係る一実施例の補助接続の確立方法３００を示すブロック図であり、当該方法３００は、第１の補助ネットワークアクセス装置は、主要ネットワークアクセス装置から送信した、第１の補助ネットワークアクセス装置をデータ伝送のネットワークデバイスとして追加するようにリクエストするために用いられる、当該端末装置の補助ネットワークアクセス装置へのアクセスをサポートする能力を示すための補助ネットワークアクセス能力情報を含む、補助接続追加リクエストメッセージを受信するＳ３１０と、当該第１の補助ネットワークアクセス装置は、当該補助ネットワークアクセス能力情報に基づき、当該第１の補助ネットワークアクセス装置と当該端末装置との間の補助接続を確立するための第１の設定情報を生成するＳ３２０と、当該第１の補助ネットワークアクセス装置は、当該主要ネットワークアクセス装置に、当該第１の設定情報を含む当該補助接続追加リクエストメッセージの確認メッセージを送信するＳ３３０と、を含む。
【００７２】
具体的には、主要ネットワークアクセス装置は、端末装置またはコアネットワークデバイスから取得した当該端末装置の補助ネットワークアクセス能力情報を第１の補助ネットワークアクセス装置に送信することができ、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、そして当該設定情報を主要ネットワークアクセス装置に送信し、主要ネットワークアクセス装置が当該設定情報を端末装置に転送することにより、第１の補助ネットワークアクセス装置と当該端末装置との間の補助接続を確立する。
【００７３】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００７４】
理解すべきものとして、当該補助ネットワークアクセス能力情報は、端末装置が補助ネットワークアクセス装置に接続される全ての能力情報であってもよく、または端末装置が全ての補助ネットワーク接続において使用できるネットワークアクセス能力情報であってもよく、さらに端末装置が追加すべきネットワークアクセス装置に接続される、使用可能なネットワークアクセス能力情報であってもよい。当該補助ネットワークアクセス能力情報は、端末装置が上記の第１の補助ネットワークアクセス装置に接続される能力情報を含めばよく、本発明はこれを限定しない。
【００７５】
当該補助ネットワークアクセス能力情報は端末の補助ネットワークアクセス装置に接続される全ての能力情報である場合、主要ネットワークアクセス装置が第１の補助ネットワークアクセス装置に送信した補助接続追加リクエストメッセージには、さらに端末装置が既に確立した補助接続の設定情報が担持される。第１の補助ネットワークアクセス装置は、補助ネットワークアクセス能力情報と補助接続追加リクエストメッセージに担持される設定情報を考慮し、第１の設定情報を生成することができる。例えば、当該端末装置によって確立される全ての補助接続の構成は、当該補助ネットワークアクセス能力情報に示された能力以下である。
【００７６】
当該補助ネットワークアクセス能力情報は、端末装置が第１の補助ネットワークアクセス装置にアクセスするために割り当てた一部の能力である場合、第１の補助ネットワークアクセス装置は、当該補助ネットワークアクセス能力情報を受信した後、当該第１の補助ネットワークアクセス装置は、当該端末装置の構成が当該補助ネットワークアクセス能力情報に示された能力以下であることを保証する必要がある。
【００７７】
理解すべきものとして、当該補助ネットワークアクセス能力情報は、また端末装置が一回に追加しようとする複数のネットワークアクセス装置のために、割り当てた一部の能力情報を示すことができ、例えば、端末装置がネットワークアクセス装置にアクセスする際、一回に伝送可能な最大データブロックは３２であり、端末装置が一回に第１の補助ネットワークアクセス装置と第２の補助ネットワークアクセス装置を追加しようとする場合、端末装置が当該第１の補助ネットワークアクセス装置と当該第２の補助ネットワークアクセス装置の全体に割り当てられる伝送可能な最大データブロックは１６である。第１の補助ネットワークアクセス装置と端末装置の補助接続を予め確立する場合、第１の補助ネットワークアクセス装置は当該割り当てられた補助ネットワークアクセス能力情報に基づき、第１の設定情報を決定し、当該第１の設定情報における最大伝送データブロックは１６以下である。主要ネットワークアクセス装置は、また第２の補助ネットワークアクセス装置を補助接続として追加しようとする場合、第１の補助ネットワークアクセス装置は、当該割り当てられた補助ネットワークアクセス能力情報と第１の設定情報に基づき、第２の設定情報を決定する必要がある。当該第２の設定情報と第１の設定情報における最大伝送データブロックの和は１６以下である。
【００７８】
なお、方法３００における第１の補助ネットワークアクセス装置と主要ネットワークアクセス装置との間のフローについて、具体的には方法２００を参照されたい。簡略化するために、ここで説明を省略する。
【００７９】
図４は本発明に係る一実施例の補助接続の確立方法４００を示すブロック図であり、当該方法４００は、端末装置が主要ネットワークアクセス装置に、当該端末の、当該端末の補助ネットワークアクセス装置へのアクセスをサポートする能力を示すための補助ネットワークアクセス能力情報を送信するＳ４１０と、当該端末装置は、当該主要ネットワークアクセス装置が送信した、当該第１の補助ネットワークアクセス装置と当該端末装置との間の補助接続を確立するための第１の設定情報を受信するＳ４２０と、を含む。
【００８０】
具体的には、主要ネットワークアクセス装置は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、主要ネットワークアクセス装置が当該設定情報を受信した後、当該設定情報を端末装置に転送することにより、第１の補助ネットワークアクセス装置と当該端末装置との間の補助接続を確立する。
【００８１】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００８２】
１つの選択可能な実施例として、当該方法はさらに、当該端末装置が主要ネットワークアクセス装置に、複数の補助ネットワークアクセス装置の測定結果情報、当該測定結果情報は、対応する補助ネットワークアクセス装置と端末装置との間のリンク品質を示すために用いられ、それにより、当該主要ネットワークアクセス装置が当該複数の測定結果情報に基づいて当該第１の補助ネットワークアクセス装置を決定すること、を含む。
【００８３】
具体的には、当該端末装置と当該補助ネットワークアクセス装置との間のチャンネル品質がプリセット条件を満たす場合、当該端末装置は、当該主要ネットワークアクセス装置に当該測定結果情報を送信する。当該プリセット条件としては、プロトコル規定に基づく所定の周期であってもよく、端末装置は、補助ネットワークアクセス装置との間のチャンネル品質が第１の主要ネットワークアクセス装置との間のチャンネル品質よりも高いと検出する条件であってもよく、補助ネットワークアクセス装置のチャンネル品質が一定の閾値を超えたと検出した条件であってもよく、現在の小さい参照信号電力が所定の閾値未満である条件等であってもよく、さらに、端末装置のリアルタイム測定、リアルタイム報告等であってもよい。本発明の実施例は、端末装置が測定結果情報を報告するトリガ条件を限定しない。
【００８４】
１つの選択可能な実施例として、当該端末装置が主要ネットワークアクセス装置に当該端末装置の補助ネットワークアクセス能力情報を送信することは、当該端末装置が当該主要ネットワークアクセス装置に第１のメッセージを送信することを含み、そのうち、当該第１のメッセージは、該端末装置と当該第１の補助ネットワークアクセス装置との間の設定が有効になったことを示すために用いられ、当該第１のメッセージは当該補助ネットワークアクセス能力情報を含む。
【００８５】
１つの選択可能な実施例として、当該方法はさらに、当該端末装置が当該第１の設定情報に基づき、当該第１の補助ネットワークアクセス装置との間の補助接続を確立することを含む。
【００８６】
なお、方法４００における端末装置と主要ネットワークアクセス装置との間のフローについては、方法２００を参照されたい。簡略化するために、ここで説明を省略する。
【００８７】
理解を容易にするために、以下、図５から図７を参照しながら、端末装置、主要ネットワークアクセス装置および補助ネットワークアクセス装置の交互角度から、本発明に係る実施例の補助接続の確立方法について詳細に説明する。
【００８８】
図５は本発明に係る実施例の補助接続の確立方法５００を示すフローチャートである。図５に示すように、当該方法５００は、ＬＴＥシステムにおける主要ネットワークアクセス装置が、端末装置のＮＲシステムにおけるネットワークアクセス装置にアクセスする最大能力を示すために用いられる、端末装置のＮＲ能力情報を取得するＳ５１０と、ＬＴＥシステムにおける主要ネットワークアクセス装置は、ＮＲシステムにおける第１の補助ネットワークアクセス装置の追加を決定し、そして第１の補助ネットワークアクセス装置に、当該端末装置のＮＲ能力情報が担持されるＮＲ追加リクエストを送信するＳ５２０と、ＮＲシステムにおける第１の補助ネットワークアクセス装置は、ＬＴＥシステムにおける主要ネットワークアクセス装置が送信したＮＲ追加リクエストを受信した後、端末装置のＮＲ能力情報に基づき、第１の補助ネットワークアクセス装置と端末装置との間の補助接続の構成を行い、即ち第１の設定情報であり、そしてＬＴＥシステムにおける主要ネットワークアクセス装置にフィードバックするＳ５３０と、ＬＴＥシステムにおける主要ネットワークアクセス装置は、ＲＲＣ再構成メッセージにより、第１の補助ネットワークアクセス装置と端末装置との間の補助接続構成を端末装置に送信するＳ５４０と、ＬＴＥシステムにおける主要ネットワークアクセス装置は、ＮＲシステムにおける第２の補助ネットワークアクセス装置を第２の補助接続として追加すると決定した時、端末装置のＮＲ能力情報、および当該第１の補助ネットワークアクセス装置と端末装置との間の補助接続構成を追加リクエストにより、ＮＲシステムにおける第２の補助ネットワークアクセス装置に送信するＳ５５０と、ＮＲシステムにおける第２の補助ネットワークアクセス装置は、端末のＮＲ能力情報、およびＮＲシステムにおける第１の補助ネットワークアクセス装置と端末装置との間の補助接続構成に基づき、ＮＲシステムにおける第２の補助ネットワークアクセス装置と端末装置との間の補助接続構成を生成し、即ち第２の設定情報であり、そしてＬＴＥシステムにおける主要ネットワークアクセス装置にフィードバックするＳ５６０と、ＬＴＥシステムにおける主要ネットワークアクセス装置は、ＲＲＣ再構成メッセージにより、第２の補助ネットワークアクセス装置と端末装置との間の補助接続構成を端末装置に送信するＳ５７０と、を含む。
【００８９】
そのため、本発明の実施例は、補助接続を確立する新しい方法を提供し、簡単かつ柔軟であり、それにより、ユーザープレーンのデータスループットを向上させ、および主要ネットワークアクセス装置の負荷を軽減することができる。
【００９０】
図６は本発明に係る実施例の補助接続の確立方法６００を示すフローチャートである。図６に示すように、当該方法６００は、ＬＴＥシステムにおける主要ネットワークアクセス装置が、次回のＮＲ接続に使用可能なＮＲ能力情報を示すための端末装置のＮＲ能力情報を取得するＳ６１０と、ＬＴＥシステムにおける主要ネットワークアクセス装置は、ＮＲシステムにおける第１の補助ネットワークアクセス装置の追加を決定し、そして第１の補助ネットワークアクセス装置にＮＲ追加リクエストを送信し、その中に次回のＮＲ接続に使用可能なＮＲ能力情報を担持するＳ６２０と、ＮＲシステムにおける第１の補助ネットワークアクセス装置は、ＬＴＥシステムにおける主要ネットワークアクセス装置が送信したＮＲ追加リクエストを受信した後、端末装置のＮＲ能力情報に基づき、第１の補助ネットワークアクセス装置と端末装置との間の補助接続構成を行い、即ち第１の設定情報であり、そしてＬＴＥシステムにおける主要ネットワークアクセス装置にフィードバックするＳ６３０と、ＬＴＥシステムにおける主要ネットワークアクセス装置は、ＲＲＣ再構成メッセージにより、第１の補助ネットワークアクセス装置と端末装置との間の補助接続構成を端末装置に送信するＳ６４０と、端末装置は、ＲＲＣ再構成完了情報に次回のＮＲ接続に使用可能なＮＲ能力情報を担持するＳ６５０と、ＬＴＥシステムにおける主要ネットワークアクセス装置は、ＮＲシステムにおける第２の補助ネットワークアクセス装置を第２の補助接続として追加すると決定した時、次回のＮＲ接続に使用可能なＮＲ能力情報をＮＲシステムにおける第２の補助ネットワークアクセス装置に送信するＳ６６０と、ＮＲシステムにおける第２の補助ネットワークアクセス装置は、次回のＮＲ接続に使用可能なＮＲ能力情報に基づき、ＮＲシステムにおける第２の補助ネットワークアクセス装置と端末装置との間の補助接続構成を生成し、即ち第２の設定情報であり、そしてＬＴＥシステムにおける主要ネットワークアクセス装置にフィードバックするＳ６７０と、ＬＴＥシステムにおける主要ネットワークアクセス装置は、ＲＲＣ再構成メッセージにより、第２の補助ネットワークアクセス装置と端末装置との間の補助接続構成を端末装置に送信するＳ６８０と、を含む。
【００９１】
そのため、本発明の実施例は、補助接続を確立する新しい方法を提供し、簡単かつ柔軟であり、それにより、ユーザープレーンのデータスループットを向上させ、および主要ネットワークアクセス装置の負荷を軽減することができる。
【００９２】
理解すべきものとして、図５と図６は、補助接続の確立方法の詳細な手順または操作を示したが、これらの手順または操作は単なる例示的なものであり、本発明の実施例はその他の操作、または図５または図６中の各操作の変形を実行してもよい。さらに、図５と図６中の各手順は、図５と図６に示した順と異なる順序で実行してもよく、かつ図５と図６中の全ての操作を実行することに限らない可能性もある。
【００９３】
また、上記の各方法の実施例において、端末装置側の手順は、単独で端末装置側の補助接続の確立方法を実現し、主要ネットワークアクセス装置側の手順も単独でネットワークアクセス側の補助接続の確立方法になれ、さらに、補助ネットワークアクセス装置側の手順も単独でネットワークアクセス側の補助接続の確立方法になれる。上記の各方法の実施例において、通常、ネットワークアクセス装置は基地局であり、コアネットワークデバイスはモビリティ・マネジメント・エンティティであり、端末装置はユーザーデバイスである。
【００９４】
理解すべきものとして、ネットワークデバイス側で説明されたネットワークデバイスと端末装置の交互および関連特性、機能等は、端末装置側の関連特性、機能に対応し、簡略化するために、ここで説明を省略する。
【００９５】
さらに、理解すべきものとして、本発明の各種の実施例において、上記の各過程の番号の大きさは、実行順序の先後を意味しておらず、各過程の実行順序は、その機能と内在論理により決定され、本発明に係る実施例の実施過程を任意に限定すべきではない。
【００９６】
以上、図２から図６を参照しながら、本発明に係る実施例に基づく補助接続の確立方法を詳細に説明した。以下、図７から図１２を参照しながら、本発明に係る実施例に基づく補助接続の確立装置を説明し、方法の実施例で説明された技術的特徴は、以下の装置の実施例に適用可能である。
【００９７】
図７は本発明に係る実施例に基づく補助接続の確立装置７００を示すブロック図である。図７に示すように、当該装置７００は、当該端末装置の補助ネットワークアクセス装置へのアクセスをサポートする能力を示す、端末装置の補助ネットワークアクセス能力情報を取得するための取得ユニットＳ7１０と、当該第１の補助ネットワークアクセス装置をデータ伝送のネットワークデバイスとして追加するようにリクエストするために用いられ、当該補助ネットワークアクセス能力情報を含む、補助接続追加リクエストメッセージを第１の補助ネットワークアクセス装置に送信するための第１の送信ユニットＳ７２０と、当該第１の補助ネットワークアクセス装置をデータ伝送のネットワークデバイスとして追加するようにリクエストするために用いられ、当該補助ネットワークアクセス能力情報を含む、補助接続追加リクエストメッセージを第１の補助ネットワークアクセス装置に送信するための第１の受信ユニットＳ７３０と、を含む。
【００９８】
具体的には、装置７００は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、装置７００が当該設定情報を受信した後、当該設定情報を端末装置に転送することにより、第１の補助ネットワークアクセス装置と当該端末装置との間の補助接続を確立する。
【００９９】
そのため、本発明に係る実施例は、補助接続の確立装置を提供し、簡単かつ柔軟であり、それにより、ユーザープレーンのデータスループットを向上させ、および主要ネットワークアクセス装置の負荷を軽減することができる。
【０１００】
選択的に、本発明の実施例において、当該補助接続追加リクエストメッセージは、さらに、当該端末装置が既に確立した補助接続の設定情報である第２の設定情報を含む。
【０１０１】
選択的に、本発明の実施例において、当該取得ユニット７１０は、具体的に、当該端末装置またはコアネットワークデバイスから送信した、当該補助ネットワークアクセス能力情報を含む第１のメッセージを受信することと、当該第１のメッセージの中から、当該補助ネットワークアクセス能力情報を取得することに用いられる。
【０１０２】
選択的に、本発明の実施例において、当該取得ユニット７１０が受信した、当該端末装置から送信された当該第１のメッセージは、当該端末装置と当該第１の補助ネットワークアクセス装置との間の設定が有効になったことを示すために用いられる。
【０１０３】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報は、当該端末装置の追加すべき補助ネットワークアクセス装置へのアクセスをサポートする能力を示すために用いられ、当該追加すべき補助ネットワークアクセス装置は、当該第１の補助ネットワークアクセス装置を含む。
【０１０４】
選択的に、本発明の実施例において、当該装置7００は、さらに、当該端末装置が送信した少なくとも１つの、対応する補助ネットワークアクセス装置と端末装置との間のリンク品質を示すための補助ネットワークアクセス装置の測定結果情報を受信するための第２の受信ユニット７４０と、当該少なくとも１つの補助ネットワークアクセス装置における各補助ネットワークアクセス装置の測定結果情報に基づき、当該第１の補助ネットワークアクセス装置を決定するために用いられる決定ユニット７５０と、を含む。
【０１０５】
選択的に、本発明の実施例において、当該装置７００は、さらに、当該端末装置に当該第１の設定情報を送信することにより、当該端末装置が当該第１の設定情報に基づき、当該第１の補助ネットワークアクセス装置との間の補助接続を容易に確立するための第２の送信ユニット760を含む。
【０１０６】
選択的に、本発明の実施例において、当該装置は、第１の通信システムにおけるネットワークデバイスであり、当該補助ネットワークアクセス装置は、第２の通信システムにおけるネットワークデバイスである。
【０１０７】
理解すべきものとして、本発明に係る実施例に基づく装置７００は、本発明に係る実施例の補助接続の確立方法２００の実行本体に対応することができ、そして装置７００中の各モジュールの上記と他の操作および/または機能は、図２、図５および図６における各方法に対応するフローをそれぞれ実現し、簡略化するために、ここで説明を省略する。
【０１０８】
図８は本発明に係る実施例に基づく補助接続の確立装置８００を示すブロック図である。図８に示すように、当該装置８００は、第１の補助ネットワークアクセス装置をデータ伝送のネットワークデバイスとして追加するようにリクエストし、当該端末装置の補助ネットワークアクセス装置へのアクセスをサポートする能力を示すために用いられる、当該補助ネットワークアクセス能力情報を含む、主要ネットワークアクセス装置から送信した補助接続追加リクエストメッセージを受信するための受信ユニットＳ８１０と、当該補助ネットワークアクセス能力情報に基づき、当該第１の補助ネットワークアクセス装置と当該端末装置との間の補助接続を確立するための第１の設定情報を生成するための生成ユニットＳ８２０と、当該主要ネットワークアクセス装置に、当該第１の設定情報を含む当該補助接続追加リクエストメッセージの確認メッセージを送信するための送信ユニットＳ８３０と、を含む。
【０１０９】
具体的には、主要ネットワークアクセス装置は、端末装置またはコアネットワークデバイスから当該端末装置の補助ネットワークアクセス能力情報を取得し、そして当該補助ネットワークアクセス能力情報を装置８００に送信することができる。それにより、当該装置８００は、当該補助ネットワークアクセス能力情報を参照し、当該装置８００と当該端末装置との間の補助接続を確立するために用いられる設定情報を生成することができ、主要ネットワークアクセス装置は、当該設定情報を受信した後、当該設定情報を端末装置に転送することで、装置８００と当該端末装置との間の補助接続を確立する。
【０１１０】
そのため、本発明の実施例は、補助接続の確立装置を提供し、簡単かつ柔軟であり、それにより、ユーザープレーンのデータスループットを向上させ、および主要ネットワークアクセス装置の負荷を軽減することができる。
【０１１１】
選択的に、本発明の実施例において、当該補助ネットワークアクセス能力情報は、当該端末装置の補助ネットワークアクセス装置にアクセスする最大能力を示すために用いられる。当該補助接続追加リクエストメッセージは、さらに、当該端末装置が既に確立した補助接続の設定情報である第２の設定情報を含む。当該生成ユニット８２０は、具体的に、当該補助ネットワークアクセス能力情報と当該第２の設定情報に基づき、当該第１の設定情報を生成するために用いられ、当該第１の設定情報と当該第２の設定情報が対応する設定の和は、当該補助ネットワークアクセス能力情報が示した、当該端末装置の補助ネットワークアクセス装置へのアクセスをサポートする能力以下である。
【０１１２】
選択的に、本発明の実施例において、当該補助ネットワークアクセス能力情報は、当該端末装置の追加すべき補助ネットワークアクセス装置へのアクセスをサポートする能力を示すために用いられ、そのうち、当該追加すべき補助ネットワークアクセス装置は当該第１の補助ネットワークアクセス装置を含む。
【０１１３】
選択的に、本発明の実施例において、当該主要ネットワークアクセス装置は、第１の通信システムにおけるネットワークデバイスであり、当該補助ネットワークアクセス装置は第２の通信システムにおけるネットワークデバイスである。
【０１１４】
理解すべきものとして、本発明に係る実施例の装置８００は、本発明に係る実施例の補助接続の確立方法３００の実行本体に対応することができ、かつ装置８００における各モジュールの上記と他の操作および/または機能は、図３、図５および図６の各方法の対応するフローをそれぞれ実現するためであり、簡略化するために、ここで説明を省略する。
【０１１５】
図９は本発明に係る実施例に基づく補助接続の確立装置９００を示すブロック図である。図９に示すように、当該装置９００は、主要ネットワークアクセス装置に、当該端末装置の補助ネットワークアクセス装置へのアクセスをサポートする能力を示す、当該端末装置の補助ネットワークアクセス能力情報を送信するための送信ユニット９１０と、当該主要ネットワークアクセス装置が送信した、当該第１の補助ネットワークアクセス装置と当該端末装置との間の補助接続を確立するための第１の設定情報を受信するための受信ユニット９２０と、を含む。
【０１１６】
具体的には、主要ネットワークアクセス装置は、装置９００から当該端末装置の補助ネットワークアクセス能力情報を取得することができ、そして当該補助ネットワークアクセス能力情報を第１の補助ネットワークアクセス装置に送信することができ、それにより、当該第１の補助ネットワークアクセス装置は、当該補助ネットワークアクセス能力情報を参照し、当該第１の補助ネットワークアクセス装置と当該装置９００との間の補助接続を確立するために用いられる設定情報を生成し、主要ネットワークアクセス装置は、当該設定情報を受信した後、当該設定情報を装置９００に転送することで、第１の補助ネットワークアクセス装置と当該装置９００との間の補助接続を確立する。
【０１１７】
そのため、本発明に係る実施例は補助接続の確立装置を提供し、簡単かつ柔軟であり、それにより、ユーザープレーンのデータスループットを向上させ、および主要ネットワークアクセス装置の負荷を軽減することができる。
【０１１８】
選択的に、本発明の実施例において、当該送信ユニット９１０は、具体的に、当該主要ネットワークアクセス装置に第１のメッセージを送信するために用いられ、当該第１のメッセージは、当該端末装置と当該第１の補助ネットワークアクセス装置との間の設定が有効になったことを示すために用いられ、当該第１のメッセージは当該補助ネットワークアクセス能力情報を含む。
【０１１９】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の当該第１の補助ネットワークアクセス装置を含む追加すべき補助ネットワークアクセス装置へのアクセスをサポートする能力を示すために用いられる。
【０１２０】
選択的に、本発明の実施例において、当該装置９００は、さらに、当該第１の設定情報に基づき、当該第１の補助ネットワークアクセス装置との間の補助接続を確立するために用いられるアクセスユニット９３０を含む。
【０１２１】
選択的に、本発明の実施例において、当該主要ネットワークアクセス装置は、第１の通信システムにおけるネットワークデバイスであり、当該補助ネットワークアクセス装置は、第２の通信システムにおけるネットワークデバイスである。
【０１２２】
理解すべきものとして、本発明に係る実施例に基づく装置９００は、本発明に係る実施例の補助接続の確立方法４００の実行本体に対応することができ、かつ装置９００中の各モジュールの上記と他の操作および/または機能は、図４、図５および図６の各方法における対応するフローをそれぞれ実現するためであり、簡略化するために、ここで説明を省略する。
【０１２３】
なお、上記の実施例に提供された装置は、その機能を実現する時、単に上記の各機能ユニットの分割に従って例を挙げて説明したが、実際の応用では、必要に応じて上記の機能の割り当てが異なる機能ユニットにより完了されてもよく、即ち、デバイスの内部構造を異なる機能ユニットに分割し、以上に説明された全部または一部の機能を完了する。また、上記の実施例に提供された装置と方法の実施例は、同一の構想に属し、その具体的な実現過程については、方法の実施例を詳細に参照されたい。ここで説明を省略する。
【０１２４】
図１０は本発明に係る実施例に基づく装置１０を示すブロック図である。図１０に示す装置１０は、メモリ１１と、プロセッサー１２と、入力/出力インタフェース１３と、通信インタフェース１４およびバスシステム１５を含む。そのうち、メモリ１１と、プロセッサー１２と、入力/出力インタフェース１３および通信インタフェース１４は、バスシステム１５によって接続され、当該メモリ１１は命令を記憶するために用いられ、当該プロセッサー１２は、当該メモリ１１に記憶される命令を実行するために用いられ、それにより、入力/出力インタフェース１３が、入力されたデータと情報を受信し、操作結果等のデータを出力するように制御し、そして通信インタフェース１４が信号を送信するように制御する。
【０１２５】
プロセッサー１２は、端末装置の、当該端末装置の補助ネットワークアクセス装置へのアクセスをサポートする能力を示すための補助ネットワークアクセス能力情報を取得することと、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信することと、当該第１の補助ネットワークアクセス装置が送信した、当該第１の補助ネットワークアクセス装置と当該端末装置との間の補助接続を確立するための第１の設定情報を含む、当該補助接続追加リクエストメッセージの確認メッセージを受信すること、に用いられる。
【０１２６】
選択的に、本発明の実施例において、当該補助接続追加リクエストメッセージは、さらに、当該端末装置が既に確立した補助接続の設定情報である第２の設定情報を含む。
【０１２７】
選択的に、本発明の実施例において、プロセッサー１２は、具体的に、当該端末装置またはコアネットワークデバイスが送信した、当該補助ネットワークアクセス能力情報を含む第１のメッセージを受信し、当該第１のメッセージから、当該補助ネットワークアクセス能力情報を取得するために用いられる。
【０１２８】
選択的に、本発明の実施例において、プロセッサー１２は、具体的に、当該端末装置が送信した、当該端末装置と当該第１の補助ネットワークアクセス装置との間の設定が有効になったことを示すための第１のメッセージを受信するために用いられる。
【０１２９】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の当該第１の補助ネットワークアクセス装置を含む、追加すべき補助ネットワークアクセス装置へのアクセスをサポートする能力を示すために用いられる。
【０１３０】
選択的に、本発明の実施例において、プロセッサー１２は、具体的に、当該端末装置が送信した少なくとも１つの、対応する補助ネットワークアクセス装置と当該端末装置との間のリンク品質を示すための補助ネットワークアクセス装置の測定結果情報を受信するために用いられ、また、当該少なくとも１つの補助ネットワークアクセス装置における各補助ネットワークアクセス装置の測定結果情報に基づき、当該第１の補助ネットワークアクセス装置を決定するために用いられる。
【０１３１】
選択的に、本発明の実施例において、プロセッサー１２は、さらに、当該端末装置に当該第１の設定情報を送信することにより、当該端末装置が当該第１の設定情報に基づき、当該第１の補助ネットワークアクセス装置との間の補助接続を容易に確立するために用いられる。
【０１３２】
選択的に、本発明の実施例において、当該装置１０は、第１の通信システムにおけるネットワークデバイスであり、当該補助ネットワークアクセス装置は、第２の通信システムにおけるネットワークデバイスである。
【０１３３】
理解すべきものとして、本発明の実施例において、当該プロセッサー１２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１３４】
また、理解すべきものとして、通信インタフェース１４は、送受信機のような送受信装置（それらに限定されない）を使用することにより、ネットワークアクセスエンティティ１０とその他デバイスまたは通信ネットワークとの間の通信を実現する。
【０１３５】
当該メモリ１１は、読み取り専用メモリとランダムアクセスメモリを含んでもよく、そしてプロセッサー１２に命令とデータを提供する。プロセッサー１２の一部は、また、不揮発性ランダムアクセスメモリを含んでもよい。例えば、プロセッサー１２は、さらに機種情報を記憶してもよい。
【０１３６】
当該バスシステム１５は、データバスを含む他に、電源バスと、制御バスおよび状態信号バス等を含んでもよい。ただし、説明を明確にするために、図中では、各種のバスをいずれもバスシステム１５として表記する。
【０１３７】
実現する過程において、上記の方法の各手順はプロセッサー１２におけるハードウェアの集積論理回路、またはソフトウェア形式の命令によって実現されることが可能である。本発明の実施例で開示された補助接続の確立方法を組み合わせ、ハードウェアプロセッサーによる実行の完成に直接的に具体化され、またはプロセッサーにおけるハードウェアおよびソフトウェアモジュールの組み合わせによって実行して完成する。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において成熟した記憶媒体に位置することができる。当該記憶媒体は、メモリ１１に位置し、プロセッサー１２がメモリ１１内の情報を読み取り、そのハードウェアと組み合わせて上記の方法２００の手順を完成する。繰り返しを回避するために、ここで説明を省略する。
【０１３８】
図１１は本発明に係る実施例に基づく装置２０を示すブロック図である。図１１に示す装置２０は、メモリ２１と、プロセッサー２２と、入力/出力インタフェース２３と、通信インタフェース２４およびバスシステム２５を含む。そのうち、メモリ２１と、プロセッサー２２と、入力/出力インタフェース２３および通信インタフェース２４は、バスシステム２５によって接続される。当該メモリ２１は命令を記憶するために用いられ、当該プロセッサー２２は、当該メモリ２１に記憶される命令を実行するために用いられ、それにより入力/出力インタフェース２３が、入力されたデータと情報を受信し、操作結果等のデータを出力するように制御し、そして通信インタフェース２４が信号を送信するように制御する。
【０１３９】
プロセッサー２２は、第１の補助ネットワークアクセス装置をデータ伝送のネットワークデバイスとして追加するようにリクエストし、当該端末装置の補助ネットワークアクセス装置へのアクセスをサポートする能力を示すために用いられる、当該補助ネットワークアクセス能力情報を含む、主要ネットワークアクセス装置から送信した補助接続追加リクエストメッセージを受信するために用いられ、また、当該補助ネットワークアクセス能力情報に基づき、当該第１の補助ネットワークアクセス装置と当該端末装置との間の補助接続を確立するための第１の設定情報を生成するために用いられ、さらに、当該主要ネットワークアクセス装置に、当該第１の設定情報を含む当該補助接続追加リクエストメッセージの確認メッセージを送信するために用いられる。
【０１４０】
選択的に、本発明の実施例において、当該補助ネットワークアクセス能力情報は、当該端末装置の補助ネットワークアクセス装置にアクセスする最大能力を示すために用いられる。当該補助接続追加リクエストメッセージは、さらに、当該端末装置が既に確立した補助接続の設定情報である第２の設定情報を含む。プロセッサー２２は、具体的に、当該補助ネットワークアクセス能力情報と当該第２の設定情報に基づき、当該第１の設定情報を生成するために用いられ、当該第１の設定情報と当該第２の設定情報が対応する設定の和は、当該補助ネットワークアクセス能力情報が示した、当該端末装置の補助ネットワークアクセス装置へのアクセスをサポートする能力以下である。
【０１４１】
選択的に、本発明の実施例において、当該補助ネットワークアクセス能力情報は、当該端末装置の追加すべき補助ネットワークアクセス装置へのアクセスをサポートする能力を示すために用いられ、そのうち、当該追加すべき補助ネットワークアクセス装置は当該第１の補助ネットワークアクセス装置を含む。
【０１４２】
理解すべきものとして、本発明の実施例において、当該プロセッサー２２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１４３】
また、理解すべきものとして、通信インタフェース２４は、送受信機のような送受信装置（それらに限定されない）を使用することにより、ネットワークアクセスエンティティ２０とその他デバイスまたは通信ネットワークとの間の通信を実現する。
【０１４４】
当該メモリ２１は、読み取り専用メモリとランダムアクセスメモリを含んでもよく、そしてプロセッサー２２に命令とデータを提供する。プロセッサー２２の一部は、また、不揮発性ランダムアクセスメモリを含んでもよい。例えば、プロセッサー２２は、さらに機種情報を記憶してもよい。
【０１４５】
当該バスシステム２５は、データバスを含む他に、電源バス、制御バスおよび状態信号バス等を含んでもよい。ただし、説明を明確にするために、図中では、各種のバスをいずれもバスシステム２５として表記する。
【０１４６】
実現する過程において、上記の方法の各手順は、プロセッサー２２におけるハードウェアの集積論理回路、またはソフトウェア形式の命令によって完成されることが可能である。本発明の実施例で開示された補助接続の確立方法を組み合わせ、ハードウェアプロセッサーによる実行が完成することに直接現れ、またはプロセッサーにおけるハードウェアおよびソフトウェアモジュールの組み合わせによって実行して完成させる。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において成熟した記憶媒体に位置することができる。当該記憶媒体は、メモリ２１に位置し、プロセッサー２２がメモリ２１内の情報を読み取り、そのハードウェアと組み合わせて上記の方法３００の手順を完成する。繰り返しを回避するために、ここで説明を省略する。
【０１４７】
図１２は本発明に係る実施例に基づく装置３０を示すブロック図である。図１２に示す装置３０は、メモリ３１と、プロセッサー３２と、入力/出力インタフェース３３と、通信インタフェース３４およびバスシステム３５を含む。そのうち、メモリ３１と、プロセッサー３２と、入力/出力インタフェース３３および通信インタフェース３４は、バスシステム３５によって接続される。当該メモリ３１は命令を記憶するために用いられ、当該プロセッサー３２は、当該メモリ３１に記憶される命令を実行するために用いられ、それにより入力/出力インタフェース３３が、入力されたデータと情報を受信し、操作結果等のデータを出力するように制御し、そして通信インタフェース３４が信号を送信するように制御する。
【０１４８】
プロセッサー２２は、当該端末装置の補助ネットワークアクセス装置へのアクセスをサポートする能力を示すために用いられる、当該端末装置の補助ネットワークアクセス能力情報を主要ネットワークアクセス装置に送信するために用いられ、また、当該主要ネットワークアクセス装置から送信した、当該第１の補助ネットワークアクセス装置と当該端末装置との間の補助接続を確立するための第１の設定情報を受信するために用いられる。
【０１４９】
選択的に、本発明の実施例において、プロセッサー３２は、具体的に、当該主要ネットワークアクセス装置に第１のメッセージを送信するために用いられ、当該第１のメッセージは、当該端末装置と当該第１の補助ネットワークアクセス装置との間の設定が有効になったことを示すために用いられ、当該第１のメッセージは当該補助ネットワークアクセス能力情報を含む。
【０１５０】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の、当該第１の補助ネットワークアクセス装置を含む追加すべき補助ネットワークアクセス装置へのアクセスをサポートする能力を示すために用いられる。
【０１５１】
選択的に、本発明の実施例において、プロセッサー３２は、さらに、当該第１の設定情報に基づき、当該第１の補助ネットワークアクセス装置との間の補助接続を確立するために用いられる。
【０１５２】
理解すべきものとして、本発明の実施例において、当該プロセッサー３２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１５３】
また、理解すべきものとして、通信インタフェース３４は、送受信機のような送受信装置（それらに限定されない）を使用することにより、端末装置３０とその他デバイスまたは通信ネットワークとの間の通信を実現する。
【０１５４】
当該メモリ３１は、読み取り専用メモリとランダムアクセスメモリを含んでもよく、そしてプロセッサー３２に命令とデータを提供する。プロセッサー３２の一部は、また、不揮発性ランダムアクセスメモリを含んでもよい。例えば、プロセッサー３２は、さらに機種情報を記憶してもよい。
【０１５５】
当該バスシステム３５は、データバスを含む他に、電源バスと、制御バスおよび状態信号バス等を含んでもよい。ただし、説明を明確にするために、図中では、各種のバスをいずれもバスシステム３５として表記する。
【０１５６】
実現する過程において、上記の方法の各手順はプロセッサー３２におけるハードウェアの集積論理回路、またはソフトウェア形式の命令によって実現されることが可能である。本発明の実施例で開示された補助接続の確立方法を組み合わせ、ハードウェアプロセッサーによる実行の完成に直接的に具体化され、またはプロセッサーにおけるハードウェアおよびソフトウェアモジュールの組み合わせによって実行して完成する。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において開発した記憶媒体に位置することができる。当該記憶媒体は、メモリ３１に位置し、プロセッサー３２がメモリ３１内の情報を読み取り、そのハードウェアと組み合わせて上記の方法５００の手順を完成する。繰り返しを回避するために、ここで説明を省略する。
【０１５７】
理解すべきものとして、本発明の実施例において、“Ａに対応するＢ”は、ＢとＡが関連しており、Ａに基づいてＢを決定できることを表す。ただし、Ａに基づいてＢを決定することは、Ａのみに基づいてＢを決定することを意味せず、さらにＡおよび/または他の情報に基づいてＢを決定できることも理解されるべきである。
【０１５８】
本明細書における用語“および/または”は、関連対象を説明する関連関係のものに過ぎず、３種類の関係が存在することを表し、例えば、“Ａおよび/またはＢ”は、Ａのみが存在し、ＡおよびＢが同時に存在し、Ｂのみが存在するという３種類の状況を表すことは理解されるべきである。また、本明細書における符号“/”は通常、前後の関連対象が“または”の関係にあることを表す。
【０１５９】
理解すべきものとして、本発明の各種の実施例において、上記の各過程の番号の大きさは、実行順序の先後を意味しておらず、各過程の実行順序は、その機能と内在論理により決定され、本発明に係る実施例の実施過程を任意に限定すべきではない。
【０１６０】
当業者であれば分かるように、本明細書で開示された実施例に記載のそれぞれ例示的なユニットおよびアルゴリズム手順を組み合わせ、電子ハードウェア、またはコンピュータソフトウェアと電子ハードウェアの組み合わせによって実現されることが可能である。これらの機能がハードウェアの形態で実行されるか、ソフトウェアの形態で実行されるかは、技術的解決手段の特定応用と設計の制約条件によって決められる。当業者であれば、それぞれ特定の応用に対し、異なる方法で記述された機能を実現することができるが、このような実現は、本発明の範囲を超えると考えるべきではない。
【０１６１】
当業者であれば明らかに分かるように、説明の便宜および簡潔さのために、以上に記述されたシステム、装置、およびユニットの具体的な動作過程は、前記方法の実施例における対応過程を参照することができ、ここで説明を省略する。
【０１６２】
本出願で提供された幾つかの実施例において、開示されたシステム、装置および方法は、その他の方式によって実現されてもよいことを理解すべきである。例えば、以上に記述した装置の実施例は、例示的なものに過ぎず、例えば、前記ユニットの分割は、単なる論理的な機能分割であり、実際に実現する時には、他の分割方式を採用してもよく、例えば、複数のユニットもしくはコンポーネントを他のシステムに組み合わせ、集積してもよく、または、一部の特徴を無視し、実行しなくてもよい。さらに、図示または検討された相互間の結合や直接結合、または通信接続は、幾つかのインタフェース、装置またはユニットによる間接結合または通信接続であってもよく、電気的、機械的またはその他の形であってもよい。
【０１６３】
前記独立部材として説明されたユニットは、物理的に分離されてもよいし、分離されなくてもよく、ユニットとして表示された部材は、物理的ユニットであってもよいし、物理的ユニットでなくてもよく、即ち、同じ場所に設置されてもよいし、複数のネットワークユニットに分散してもよい。実際の必要に応じて、そのうちの一部または全部のユニットを選択して、本実施例の技術的解決手段の目的を実現することができる。
【０１６４】
また、本発明の各実施例における各機能ユニットを１つの処理モジュールに集積してもよいし、各ユニットが単独で物理的に存在してもよく、または２つや２つ以上のユニットを１つのユニットに集積してもよい。
【０１６５】
前記機能を、ソフトウェア機能ユニットの形で実現し、かつ独立した製品として販売し、使用する時、１つのコンピュータ読み取り可能な記憶媒体に記憶することができる。このような理解に基づき、本発明の技術的解決手段は本質的に、または従来技術に寄与した部分や当該技術的解決手段の一部は、ソフトウェア製品の形で具体化されてもよく、当該コンピュータソフトウェア製品は、１つの記憶媒体に記憶され、幾つかの命令を含み、１台のコンピュータデバイス（パーソナルコンピュータ、サーバ、またはネットワークデバイス等であってもよい）に本発明の各実施例に記載の方法の全部または一部の手順を実行させる。前記記憶媒体は、Ｕディスク、モバイルハードディスク、読み取り専用メモリ(Ｒｅａｄ-Ｏｎｌｙ Ｍｅｍｏｒｙ、ＲＯＭ)、ランダムアクセスメモリ(Ｒａｎｄｏｍ Ａｃｃｅｓｓ Ｍｅｍｏｒｙ、ＲＡＭ)、磁気ディスクや光ディスクなど、プログラムコードを記憶できる様々な媒体を含む。
【０１６６】
上記の内容は、本発明の具体的な実施形態に過ぎず、これをもって本発明の特許請求の範囲を限定するものではなく、当業者であれば、本発明で開示された技術的範囲において、想到しうる種々の変更や置換は、いずれも本発明の特許保護の範囲に含まれるものとする。よって、本発明の特許保護の範囲は、前記請求項の保護範囲を基準とすべきである。
【図１】
2019527952.tif 000003
【図２】
2019527952.tif 000004
【図３】
2019527952.tif 000005
【図４】
2019527952.tif 000006
【図５】
2019527952.tif 000007
【図６】
2019527952.tif 000008
【図７】
2019527952.tif 000009
【図８】
2019527952.tif 000010
【図９】
2019527952.tif 000011
【図１０】
2019527952.tif 000012
【図１１】
2019527952.tif 000013
【図１２】
2019527952.tif 000014
【手続補正書】
【提出日】平成31年1月30日(2019.1.30)
【手続補正１】
【補正対象書類名】明細書
【補正対象項目名】全文
【補正方法】変更
【補正の内容】
【発明の詳細な説明】
【技術分野】
【０００１】
本発明は、通信の分野に関し、特に補助接続の確立方法および装置に関する。
【背景技術】
【０００２】
モバイルインターネットの急速な発展に伴い、モバイルトラフィックが爆発的に増加しており、トラフィックの増大に対応するために、ネットワークデバイスの構成がますます密集し、マクロ基地局と小型基地局の異種構成も普及しつつある。ユーザーデバイスがマクロ基地局と小型基地局のリソースを同時に利用できるように、マクロ基地局と小型基地局との間のデータ集合を実現する二重（多重）接続技術が現れる。
【０００３】
端末装置の多重（二重）接続には、１つの主要接続と１つ或いは複数の補助接続がある。主要接続は端末装置と主要ネットワークアクセス装置のネットワーク接続で、補助接続は端末装置と補助ネットワークアクセス装置のネットワーク接続である。端末装置のコントロールプレーンのデータは主要接続により伝送され、端末装置のユーザープレーンのデータはユーザープレーンのデータスループットを向上させるために２つの経路に分かれて２つの接続により同時に伝送されるか、またはメインネットワークアクセスの負荷を軽減するために、ユーザーデータは補助ネットワークアクセス装置により伝送される。よって、ユーザープレーンのデータスループットを向上また主要ネットワークアクセス装置の負荷を軽減するために、補助接続の確立方法が必要とされる。
【発明の概要】
【発明が解決しようとする課題】
【０００４】
本発明の実施例は、補助接続の確立方法および装置を提供し、ユーザープレーンのデータスループットを向上させ、主要ネットワークアクセス装置の負荷を軽減することができる。
【課題を解決するための手段】
【０００５】
第１の実施形態において、補助接続の確立方法を提供し、当該方法は、主要ネットワークアクセス装置が、端末装置の、当該端末装置の補助ネットワークアクセス装置へのアクセスをサポートする能力を示すための補助ネットワークアクセス能力情報を受信することと、当該主要ネットワークアクセス装置は、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信することと、当該主要ネットワークアクセス装置は、当該第１の補助ネットワークアクセス装置が送信した、当該第１の補助ネットワークアクセス装置と当該端末装置との間の補助接続を確立するための第１の設定情報を含む、補助接続追加リクエストメッセージの確認メッセージを受信することと、を含む。
【０００６】
端末装置の補助ネットワークアクセス装置へのアクセスをサポートする能力情報を第１の補助ネットワークアクセス装置に送信することで、第１の補助ネットワークアクセス装置は当該能力情報を考慮し、端末装置を構成することができ、従って、端末装置は第１の補助ネットワークアクセス装置との間の補助接続を確立し、ユーザープレーンのデータスループットを向上させ、および主要ネットワークアクセス装置の負荷を軽減することができる。
【０００７】
第１の実施形態を組み合わせ、第１の実施形態の第１種の実現可能な態様において、当該補助接続追加リクエストメッセージは、さらに、当該端末装置が既に確立した補助接続の設定情報である第２の設定情報を含む。
【０００８】
端末装置が既に確立した補助接続の設定情報を第１の補助ネットワークアクセス装置に送信することで、第１の補助ネットワークアクセス装置は、補助ネットワークアクセス能力情報と第２の設定情報を同時に考慮し、端末装置を構成することができ、それにより端末装置は第１の補助ネットワークアクセス装置との間の補助接続を確立することが可能になる。
【０００９】
第１の実施形態の上記の実現可能な態様を組み合わせ、在第１の実施形態の第２種の実現可能な態様において、当該主要ネットワークアクセス装置が、端末装置の補助ネットワークアクセス能力情報を取得することは、当該主要ネットワークアクセス装置が当該端末装置またはコアネットワークデバイスから送信した、当該補助ネットワークアクセス能力情報を含む第１のメッセージを受信することと、当該主要ネットワークアクセス装置が当該第１のメッセージの中から、当該補助ネットワークアクセス能力情報を取得することと、を含む。
【００１０】
本発明の実施例において、端末装置はアタッチする際に、端末装置の補助ネットワークアクセス能力情報をコアネットワークデバイスに送信し、それによりコアネットワークデバイスは、当該補助ネットワークアクセス能力情報を主要ネットワークアクセス装置に転送することができる。
【００１１】
第１の実施形態の上記の実現可能な態様を組み合わせ、第１の実施形態の第３種の実現可能な態様において、当該主要ネットワークアクセス装置は、当該端末装置が送信した第１のメッセージを受信することは、当該主要ネットワークアクセス装置は、当該端末装置が送信した、当該端末装置と当該第１の補助ネットワークアクセス装置との間の設定が有効になったことを示すために用いられる第１のメッセージを受信することを含む。
【００１２】
第１の実施形態の上記の実現可能な態様を組み合わせ、第１の実施形態の第４種の実現可能な態様において、当該補助ネットワークアクセス能力情報は、当該端末装置の補助ネットワークアクセス装置にアクセスする最大能力を示すために用いられ、または、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００１３】
本発明の実施例において、補助ネットワークアクセス能力情報は、端末装置の補助ネットワークアクセス装置にアクセスする全ての能力情報であってもよいし、端末装置が全ての補助ネットワーク接続において使用できるネットワークアクセス能力情報であってよく、また、端末装置が次回の補助ネットワーク構成において使用できるネットワークアクセス能力情報であってもよい。
【００１４】
第１の実施形態の上記の実現可能な態様を組み合わせ、第１の実施形態の第５種の実現可能な態様において、当該主要ネットワークアクセス装置が、当該第１の補助ネットワークアクセス装置に補助接続追加リクエストメッセージを送信する前に、当該主要ネットワークアクセス装置は、当該端末装置が送信した少なくとも１つの、対応する補助ネットワークアクセス装置と当該端末装置との間のリンク品質を示すための補助ネットワークアクセス装置の測定結果情報を受信することと、当該主要ネットワークアクセス装置は、当該少なくとも１つの補助ネットワークアクセス装置における各補助ネットワークアクセス装置の測定結果情報に基づき、当該第１の補助ネットワークアクセス装置を決定することと、を含む。
【００１５】
第１の実施形態の上記の実現可能な態様を組み合わせ、第１の実施形態の第６種の実現可能な態様において、当該方法は、さらに、当該主要ネットワークアクセス装置が当該端末装置に当該第１の設定情報を送信することにより、当該端末装置が当該第１の設定情報に基づき、当該第１の補助ネットワークアクセス装置との間の補助接続を容易に確立することを含む。
【００１６】
第１の実施形態の上記の実現可能な態様を組み合わせ、第１の実施形態の第７種の実現可能な態様において、当該主要ネットワークアクセス装置は、第１の通信システムにおけるネットワークデバイスであり、当該補助ネットワークアクセス装置は、第２の通信システムにおけるネットワークデバイスである。
【００１７】
２つのシステムにおいて補助接続を確立するようにサポートし、それにより補助接続の確立方法を柔軟にする。
【００１８】
好ましくは、当該第１の通信システムはロング・ターム・エボリューションＬＴＥシステムであり、当該第２の通信システムはニューラジオ(Ｎｅｗ Ｒａｄｉｏ、ＮＲ)システムである。
【００１９】
第２の実施形態は、補助接続の確立方法を提供し、当該方法は、第１の補助ネットワークアクセス装置は、主要ネットワークアクセス装置から送信した、第１の補助ネットワークアクセス装置をデータ伝送のネットワークデバイスとして追加するようにリクエストするために用いられる、当該端末装置の補助ネットワークアクセス装置へのアクセスをサポートする能力を示すための補助ネットワークアクセス能力情報を含む、補助接続追加リクエストメッセージを受信することと、当該第１の補助ネットワークアクセス装置は、当該補助ネットワークアクセス能力情報に基づき、当該第１の補助ネットワークアクセス装置と当該端末装置との間の補助接続を確立するための第１の設定情報を生成することと、当該第１の補助ネットワークアクセス装置は、当該主要ネットワークアクセス装置に、当該第１の設定情報を含む当該補助接続追加リクエストメッセージの確認メッセージを送信することと、を含む。
【００２０】
端末装置の補助ネットワークアクセス装置へのアクセスをサポートする能力情報を、第１の補助ネットワークアクセス装置に送信することで、第１の補助ネットワークアクセス装置は当該能力情報を考慮し、端末装置を構成することができ、それにより、端末装置は第１の補助ネットワークアクセス装置との間の補助接続を確立することができ、ユーザープレーンのデータスループットを向上させ、および主要ネットワークアクセス装置の負荷を軽減することができる。
【００２１】
第２の実施形態を組み合わせ、第２の実施形態の第１種の実現可能な態様において、当該補助ネットワークアクセス能力情報は、当該端末装置の補助ネットワークアクセス装置にアクセスする最大能力を示すために用いられ、当該補助接続追加リクエストメッセージはさらに、当該端末装置が既に確立した補助接続の設定情報である第２の設定情報を含み、当該第１の補助ネットワークアクセス装置は、当該補助ネットワークアクセス能力情報に基づいて第１の設定情報を生成することは、当該第１の補助ネットワークアクセス装置は、当該補助ネットワークアクセス能力情報と当該第２の設定情報に基づき、当該第１の設定情報を生成し、当該第１の設定情報と当該第２の設定情報が対応する設定の和は、当該補助ネットワークアクセス能力情報が示す当該端末装置の補助ネットワークアクセス装置へのアクセスをサポートする能力を超えないこと、を含む。
【００２２】
本発明の実施例において、第１の補助ネットワークアクセス装置は、全ての補助接続の構成が、第１種の実現可能な態様に関連する、端末装置の補助ネットワークアクセス能力情報を超えないことを保証する必要がある。
【００２３】
第２の実施形態の上記の実現可能な態様を組み合わせ、第２の実施形態の第２種の実現可能な態様において、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００２４】
本発明の実施例において、第１の補助ネットワークアクセス装置は、全ての補助接続の構成が、第２種の実現可能な態様に関連する、端末装置の補助ネットワークアクセス能力情報を超えないことを保証する必要がある。
【００２５】
第３の実施形態は、補助接続の確立方法を提供し、当該方法は、端末装置が主要ネットワークアクセス装置に、当該端末の、当該端末の補助ネットワークアクセス装置へのアクセスをサポートする能力を示すための補助ネットワークアクセス能力情報を送信することと、当該端末装置は、当該主要ネットワークアクセス装置が送信した、当該第１の補助ネットワークアクセス装置と当該端末装置との間の補助接続を確立するための第１の設定情報を受信することと、を含む。
【００２６】
端末装置の補助ネットワークアクセス装置へのアクセスをサポートする能力情報を第１の補助ネットワークアクセス装置に報告することで、第１の補助ネットワークアクセス装置は当該能力情報を考慮し、端末装置を構成することができ、従って、端末装置は第１の補助ネットワークアクセス装置との間の補助接続を確立することができ、それによりユーザープレーンのデータスループットを向上させ、および主要ネットワークアクセス装置の負荷を軽減することができる。
【００２７】
第３の実施形態を組み合わせ、第３の実施形態の第１種の実現可能な態様において、当該端末装置が主要ネットワークアクセス装置に、当該端末装置の補助ネットワークアクセス能力情報を送信することは、当該端末装置が当該主要ネットワークアクセス装置に、当該端末装置と当該第１の補助ネットワークアクセス装置との間の設定が有効になったことを示すために用いられ、当該補助ネットワークアクセス能力情報を含む第１のメッセージを送信すること、を含む。
【００２８】
第３の実施形態の上記の実現可能な態様を組み合わせ、第３の実施形態の第２種の実現可能な態様において、当該補助ネットワークアクセス能力情報は、当該端末装置の補助ネットワークアクセス装置にアクセスする最大能力を示すために用いられ、または、当該補助ネットワークアクセス能力情報は、当該端末装置の、当該第１の補助ネットワークアクセス装置を含む追加すべき補助ネットワークアクセス装置へのアクセスをサポートする能力を示すために用いられる。
【００２９】
第３の実施形態の上記の実現可能な態様を組み合わせ、第３の実施形態の第３種の実現可能な態様において、当該方法はさらに、当該端末装置が当該第１の設定情報に基づき、当該第１の補助ネットワークアクセス装置との間の補助接続を確立することを含む。
【００３０】
第４の実施形態は、補助接続の確立装置を提供し、上記の第１の実施形態または第１の実施形態のいずれかの実現可能な態様における方法を実行するために用いられ、具体的には、当該装置は、上記の第１の実施形態または第１の実施形態のいずれかの実現可能な態様における方法を実行するために用いられるユニットを含む。
【００３１】
第５の実施形態は、補助接続の確立装置を提供し、上記の第２の実施形態または第２の実施形態のいずれかの実現可能な態様における方法を実行するために用いられ、具体的には、当該装置は、上記の第２の実施形態または第２の実施形態のいずれかの実現可能な態様における方法を実行するために用いられるユニットを含む。
【００３２】
第６の実施形態は、補助接続の確立装置を提供し、上記の第３の実施形態または第３の実施形態のいずれかの実現可能な態様における方法を実行するために用いられ、具体的には、当該装置は、上記の第３の実施形態または第３の実施形態のいずれかの実現可能な態様における方法を実行するために用いられるユニットを含む。
【００３３】
第７の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第１の実施形態の方法を実行し、かつ入力/出力インタフェースが入力されたデータと情報を受信し、操作結果等のデータを出力するように制御する。
【００３４】
第８の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第２の実施形態の方法を実行し、かつ入力/出力インタフェースが入力されたデータと情報を受信し、操作結果等のデータを出力するように制御する。
【００３５】
第９の実施形態は、補助接続の確立装置を提供し、当該装置は、メモリと、プロセッサーと、入力/出力インタフェースと、通信インタフェースおよびバスシステムを含む。そのうち、メモリと、プロセッサーと、入力/出力インタフェースおよび通信インタフェースはバスシステムによって接続され、当該メモリは命令を記憶するために用いられ、当該プロセッサーは当該メモリに記憶される命令を実行するために用いられ、当該命令が実行される際、当該プロセッサーは、当該通信インタフェースを介して第３の実施形態の方法を実行し、かつ入力/出力インタフェースが入力されたデータと情報を受信し、操作結果等のデータを出力するように制御する。
【００３６】
第１０の実施形態は、コンピュータ可読媒体を提供し、コンピュータプログラムを記憶するために用いられ、当該コンピュータプログラムは、第１の実施形態または第１の実施形態のいずれかの実現可能な態様における方法を実行するために用いられる命令を含む。  
【００３７】
第１１の実施形態は、コンピュータ可読媒体を提供し、コンピュータプログラムを記憶するために用いられ、当該コンピュータプログラムは、第２の実施形態または第２の実施形態のいずれかの実現可能な態様における方法を実行するために用いられる命令を含む。  
【００３８】
第１２の実施形態は、コンピュータ可読媒体を提供し、コンピュータプログラムを記憶するために用いられ、当該コンピュータプログラムは、第３の実施形態または第３の実施形態のいずれかの実現可能な態様における方法を実行するために用いられる命令を含む。  
【００３９】
本発明において、端末装置と、主要ネットワークアクセス装置と、補助ネットワークアクセス装置およびコアネットワークデバイスの名称は、デバイスそのものを限定するものでなく、実際の実施態様において、これらのデバイスの名称は変更可能である。各デバイスの機能が本発明と類似する限り、本発明の請求項およびその同等の技術範囲内にある。  
【００４０】
本発明のこれらの態様またはその他の態様は、以下の実施例の説明において分かりやすくなる。
【図面の簡単な説明】
【００４１】
本発明の実施例の技術的解決手段をより明確に説明するために、以下、本発明の実施例で使用する必要がある図面を簡単に説明する。当然のことながら、以下に説明する図面は、本発明の一部の実施例に過ぎず、当業者であれば、創造的な労力を要することなく、さらにこれらの図面に基づいて他の図面を得ることができる。
【図１】本発明に係る実施例のアプリケーションシーンを示す図である。
【図２】本発明に係る実施例の補助接続の確立方法を示すブロック図である。
【図３】本発明に係る実施例の補助接続の確立方法を示す他のブロック図である。
【図４】本発明に係る実施例の補助接続の確立方法を示すさらに他のブロック図である。
【図５】本発明に係る実施例の補助接続の確立方法を示すフローチャートである。
【図６】本発明に係る実施例の補助接続の確立方法を示す他のフローチャートである。
【図７】本発明に係る実施例の補助接続の確立装置を示すブロック図である。
【図８】本発明に係る実施例の補助接続の確立装置を示す他のブロック図である。
【図９】本発明に係る実施例の補助接続の確立装置を示すさらに他のブロック図である。
【図１０】本発明に係る実施例の補助接続の確立装置を示すさらに他のブロック図である。
【図１１】本発明に係る実施例の補助接続の確立装置を示すさらに他のブロック図である。
【図１２】本発明に係る実施例の補助接続の確立装置を示すさらに他のブロック図である。
【発明を実施するための形態】
【００４２】
以下、本発明の実施例における図面を組み合わせ、本発明の実施例における技術的解決手段を明確に、完全に説明する。明らかに、説明された実施例は本発明の一部の実施例であり、全ての実施例ではない。本発明における実施例に基づき、当業者は創造的な労力を要することなく得られた全ての他の実施例は、いずれも本発明の保護範囲にあるべきである。
【００４３】
本発明に係る実施例の技術的解決手段は、例えば、汎欧州デジタル移動電話方式(Ｇｌｏｂａｌ Ｓｙｓｔｅｍ ｆｏｒ Ｍｏｂｉｌｅ ｃｏｍｍｕｎｉｃａｔｉｏｎ、略称“ＧＳＭ”)システム、符号分割多元接続(Ｃｏｄｅ Ｄｉｖｉｓｉｏｎ Ｍｕｌｔｉｐｌｅ Ａｃｃｅｓｓ、略称“ＣＤＭＡ”)システム、広帯域符号分割多元接続(Ｗｉｄｅｂａｎｄ Ｃｏｄｅ Ｄｉｖｉｓｉｏｎ Ｍｕｌｔｉｐｌｅ Ａｃｃｅｓｓ、略称“ＷＣＤＭＡ”)システム、汎用パケット無線サービス(Ｇｅｎｅｒａｌ Ｐａｃｋｅｔ Ｒａｄｉｏ Ｓｅｒｖｉｃｅ、略称“ＧＰＲＳ”)、ロング・ターム・エボリューション(Ｌｏｎｇ Ｔｅｒｍ Ｅｖｏｌｕｔｉｏｎ、略称“ＬＴＥ”)システム、ＬＴＥ周波数分割複信(Ｆｒｅｑｕｅｎｃｙ Ｄｉｖｉｓｉｏｎ Ｄｕｐｌｅｘ、略称“ＦＤＤ”)システム、ＬＴＥ時分割複信(Ｔｉｍｅ Ｄｉｖｉｓｉｏｎ Ｄｕｐｌｅｘ、略称“ＴＤＤ”)、ユニバーサル移動体通信システム(Ｕｎｉｖｅｒｓａｌ Ｍｏｂｉｌｅ Ｔｅｌｅｃｏｍｍｕｎｉｃａｔｉｏｎ Ｓｙｓｔｅｍ、略称“ＵＭＴＳ”)、マイクロ波を利用した世界標準の通信方式(Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、略称“ＷｉＭＡＸ”)通信システムおよび将来、出現可能な通信システム等の様々な通信システムに適用できることを理解すべきである。
【００４４】
さらに、理解すべきものとして、本発明の実施例において、端末装置はユーザーデバイス(Ｕｓｅｒ Ｅｑｕｉｐｍｅｎｔ、略称“ＵＥ”)、端末装置、モバイルステーション(Ｍｏｂｉｌｅ Ｓｔａｔｉｏｎ、略称“ＭＳ”)、モバイルターミナル(Ｍｏｂｉｌｅ Ｔｅｒｍｉｎａｌ)または将来５Ｇネットワークにおける端末装置等と呼ばれることが可能であり、当該端末装置は無線アクセスネットワーク(Ｒａｄｉｏ Ａｃｃｅｓｓ Ｎｅｔｗｏｒｋ、略称“ＲＡＮ”)を介して１つまたは複数のコアネットワークと通信することができ、例えば、ターミナルは担持電話(または“セルラー”電話と呼ぶ)或いはモバイルターミナルを有するコンピュータ等であってもよく、例えば、ターミナルはさらに担持型、ポケット型、ハンドヘルド型、コンピュータ内蔵型または車載型モバイルデバイスであってもよく、それらは無線アクセスネットワークと音声および/またはデータを交換する。
【００４５】
主要ネットワークアクセス装置と補助ネットワークアクセス装置は、モバイルデバイスとの通信に用いられ、ネットワークアクセス装置は汎欧州デジタル移動電話方式(Ｇｌｏｂａｌ Ｓｙｓｔｅｍ ｆｏｒ Ｍｏｂｉｌｅ ｃｏｍｍｕｎｉｃａｔｉｏｎ、略称“ＧＳＭ”)システムまたは符号分割多元接続(Ｃｏｄｅ Ｄｉｖｉｓｉｏｎ Ｍｕｌｔｉｐｌｅ Ａｃｃｅｓｓ、略称“ＣＤＭＡ”)システムにおける基地局(Ｂａｓｅ Ｔｒａｎｓｃｅｉｖｅｒ Ｓｔａｔｉｏｎ、略称“ＢＴＳ”)であってもよく、広帯域符号分割多元接続(Ｗｉｄｅｂａｎｄ Ｃｏｄｅ Ｄｉｖｉｓｉｏｎ Ｍｕｌｔｉｐｌｅ Ａｃｃｅｓｓ、略称“ＷＣＤＭＡ”)システムにおける基地局(ＮｏｄｅＢ、略称“ＮＢ”)であってもよく、さらに、ＬＴＥにおける進化型基地局(Ｅｖｏｌｕｔｉｏｎａｌ Ｎｏｄｅ Ｂ、略称“ｅＮＢ”または“ｅＮｏｄｅＢ”)、もしくは中継局やアクセスポイントであってもよい。選択的には、ネットワークアクセス装置は、車載型デバイス、ウェアラブルデバイスおよび将来の５Ｇネットワークにおけるネットワークアクセス装置の中のいずれか１個であってもよい。
【００４６】
コアネットワークデバイスはモビリティ・マネジメント・エンティティ(Ｍｏｂｉｌｉｔｙ Ｍａｎａｇｅｍｅｎｔ Ｅｎｔｉｔｙ、略称“ＭＭＥ”)であってもよく、サービング・ゲートウェイ(Ｓｅｒｖｉｎｇ Ｇａｔｅｗａｙ、略称“Ｓ-ＧＷ”)またはパケットデータゲートウェイ(ＰＤＮ Ｇａｔｅｗａｙ、“Ｐ-ＧＷ”)であってもよく、本出願はそれを限定しない。
【００４７】
ベアラは、無線アクセスネットワーク(ＲＡＮ、Ｒａｄｉｏ Ａｃｃｅｓｓ Ｎｅｔｗｏｒｋ)側がユーザーサービスの容量、遅延、およびビットレートを制御する基本単位である。一人のユーザーは、複数のベアラを使用して異なるサービスを実行することができる。
【００４８】
本発明の実施例において、主要ネットワークアクセス装置は、例えば、マクロ基地局(Ｍａｃｒｏｃｅｌｌ)であってもよく、補助ネットワークアクセス装置は、例えば、マイクロセル基地局(Ｍｉｃｒｏｃｅｌｌ)、ピコセル基地局(Ｐｉｃｏｃｅｌｌ)、またはフェムトセル基地局(Ｆｅｍｔｏｃｅｌｌ)であってもよいが、本発明の実施例はこれに限定されない。
【００４９】
さらに具体的には、当該主要ネットワークアクセス装置はＬＴＥネットワークデバイスであってもよく、当該補助ネットワークアクセス装置はＮＲネットワークデバイスであってもよい。本発明の実施例はこれに限定されず、当該主要ネットワークアクセス装置はさらに、ＧＳＭネットワークデバイス、ＣＤＭＡネットワークデバイス等であってもよく、当該補助ネットワークアクセス装置は、ＧＳＭネットワークデバイス、ＣＤＭＡネットワークデバイス等であってもよく、本発明の実施例はこれを限定しないことを理解すべきである。
【００５０】
図１は本発明に係る１つのアプリケーションシーンを示す図であり、端末装置周囲のネットワークは主要ネットワークアクセス装置１１０と少なくとも１つの補助ネットワークアクセス装置１２０を含み、当該主要ネットワークアクセス装置１１０はＬＴＥネットワークであってもよく、当該補助ネットワークアクセス装置１２０はＮＲネットワークであってもよい。端末装置１３０は、主要ネットワークアクセス装置１１０と補助ネットワークアクセス装置１２０と、接続を同時に確立することができ、端末装置１３０と主要ネットワークアクセス装置１１０によって確立された接続は主要接続であり、端末装置１３０と補助ネットワークアクセス装置１２０によって確立された接続は補助接続である。端末装置１３０のコントロールプレーンのデータは主要接続により伝送することができ、端末装置のユーザープレーンのデータは主要接続と補助接続により同時に伝送することができ、補助接続のみにより伝送することもできる。本発明の実施例において、主要ネットワークアクセス装置１１０は、プリセット条件を満たす補助ネットワークアクセス装置１２０を選択して端末装置１３０のコントロールプレーンのデータを伝送してもよく、それにより、主要ネットワークアクセス装置１１０の負荷をさらに軽減することができ、例えば、当該プリセット条件は、補助ネットワークアクセス装置１２０と端末装置１３０との間のリンク品質がデータ伝送を満たす条件であってもよい。
【００５１】
本発明の実施例において、補助ネットワークアクセス装置１２０をサービス要求とユーザー密度に基づいて柔軟に配置することができ、その作用としては、主要ネットワークアクセス装置１１０をアシスタントしてデータを分担することであり、当該データは、端末装置１３０のユーザープレーンのデータとコントロールプレーンのデータを含んでもよく、補助ネットワークアクセス装置１２０の配置は連続しなくてもよく、隣接するサブ・セル間にも大きい面積の重複が許容され、本発明の実施例はこれを限定しない。
【００５２】
理解すべきものとして、本発明の実施例はＬＴＥ+ＮＲシステムへの応用を例にして説明するが、本発明はこれに限定されるものではない。また、“システム”と“ネットワーク”という用語は、本明細書では交換可能に使用される。本明細書における用語“および/または”は、関連対象を説明する関連関係のものだけであり、３種類の関係が存在してもよいことを表し、例えば、“Ａおよび/またはＢ”は、Ａが独立して存在し、ＡとＢが同時に存在し、Ｂが独立して存在するという３種類の状況を表すことができる。また、本明細書における符号“/”は通常、前後の関連対象が“または”の関係にあることを表す。
【００５３】
図２は本発明に係る実施例の補助接続の確立方法２００を示すブロック図であり、当該方法２００は、主要ネットワークアクセス装置は、端末装置の、当該端末装置の補助ネットワークアクセス装置へのアクセスをサポートする能力を示すための補助ネットワークアクセス能力情報を受信するＳ２１０と、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信するＳ２２０と、当該第１の補助ネットワークアクセス装置が送信した、当該第１の補助ネットワークアクセス装置と当該端末装置との間の補助接続を確立するための第１の設定情報を含む、補助接続追加リクエストメッセージの確認メッセージを受信するＳ２３０と、を含む。
【００５４】
理解すべきものとして、当該補助ネットワークアクセス能力情報は、端末装置が補助ネットワークアクセス装置に接続される全ての能力情報であってもよく、または端末装置が全ての補助ネットワーク接続において使用できるネットワークアクセス能力情報であってもよく、さらに端末装置が追加すべきネットワークアクセス装置に接続される、使用可能なネットワークアクセス能力情報であってもよい。当該補助ネットワークアクセス能力情報は、端末装置が上記の第１の補助ネットワークアクセス装置に接続される能力情報を含めばよく、本発明はこれを限定しない。例えば、キャリアアグリゲーション能力、一度にスケジューリングできる最大データブロック等である。例に挙げれば、ＬＴＥ通信システムにおいて、当該端末装置は最も多く３２個のキャリアアグリゲーションをサポートし、端末装置が主要ネットワークアクセス装置へ送信できる補助ネットワークアクセス能力情報に含まれるキャリアアグリゲーション能力は、３２であってもよいし、端末装置がサービス状況に応じて割り当てた５であってもよい。要するに、端末装置の複数の補助接続された設定情報へのアクセスに対応する補助接続能力は、当該補助ネットワークアクセス能力情報が示した、端末装置の補助ネットワーク接続にアクセスする最大能力以下である。  
【００５５】
端末装置がアイドル状態にある際、主要ネットワークアクセス装置周囲の補助ネットワークアクセス装置を測定することができる。選択的に、端末装置の補助ネットワークアクセス装置に対する測定について、ネットワークプロトコル規定に基づいて測定してもよいし、主要ネットワークアクセス装置の構成に基づいて測定してもよく、例えば、プロトコル規定または主要ネットワークアクセス装置の構成に基づき、一定の間隔周期内に当該主要ネットワークアクセス装置周囲の補助ネットワークアクセス装置を測定する。選択的に、端末装置は、受信したシステム情報におけるネットワークの設定情報に基づき、補助ネットワークアクセス装置を測定してもよい。本発明の実施例はこれを限定しない。この時、端末装置はまず１つの補助ネットワークアクセス装置を決定して追加してもよく、例えば、当該端末装置は、第１の補助ネットワークアクセス装置をデータ伝送のネットワークデバイスとして追加することを決定し、端末装置が補助ネットワークアクセス装置にアクセスする最大能力に基づき、一部の能力を第１の補助ネットワークアクセス装置に割り当て、そして主要ネットワークアクセス装置に報知し、報知メッセージにおいて当該割り当てられた能力および当該第１の補助ネットワークアクセス装置の識別情報が担持され、それにより主要ネットワークアクセス装置が当該割り当てられた能力を第１の補助ネットワークアクセス装置に送信する。
【００５６】
さらに、前記補助接続はデータ伝送に用いられ、前記データは第１のコントロールプレーンデータおよび/またはユーザープレーンデータを含むことも理解すべきである。
【００５７】
具体的には、主要ネットワークアクセス装置は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、主要ネットワークアクセス装置が当該設定情報を受信した後、当該設定情報を端末装置に転送することにより、第１の補助ネットワークアクセス装置と当該端末装置との間の補助接続を確立する。
【００５８】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００５９】
本発明の実施例において、端末装置は、主要ネットワークアクセス装置にアクセスする過程において、補助ネットワークアクセス能力情報を主要ネットワークアクセス装置に送信することができ、当該端末装置の主要ネットワークアクセス装置にアクセスする過程は、端末装置がアイドル状態でデータ伝送を必要とする場合、第１の主要ネットワークアクセス装置にアクセスする過程であってもよく、または、端末装置がデータ接続の状態にある場合、端末装置をサービスするネットワークデバイスは、第２の主要ネットワークアクセス装置から第１の主要ネットワークアクセス装置に切り替える必要があり、当該第１の主要ネットワークアクセス装置にアクセスする過程であってもよい。具体的に、当該端末装置の当該第１の主要ネットワークアクセス装置にアクセスする過程が、アクセス過程のどのステップであるかについて、本発明の実施例は限定しない。当該端末装置はさらに、既に主要ネットワークアクセス装置にアクセスし、即ち、当該端末は、主要ネットワークアクセス装置との間のベアラを確立した状態で、主要ネットワークアクセス装置にアクセスすることもできる。
【００６０】
さらに、補助接続はデータ伝送に用いられ、データはユーザープレーンデータとコントロールプレーンデータを含み、第１の補助ネットワークアクセス装置はユーザープレーンデータを伝送することができ、またコントロールプレーンデータを伝送することもできる。主要ネットワークアクセス装置と端末装置との間の接続を主要接続と呼ぶことができ、当該主要接続はユーザープレーンデータを伝送することができ、またコントロールプレーンデータを伝送することもできる。即ち、端末装置のユーザープレーンデータは主要接続または補助接続のみにより伝送されてもよく、またはユーザープレーンデータが主要接続と補助接続により共同伝送されてもよい。端末装置のコントロールプレーンデータは主要接続または補助接続のみにより伝送されてもよく、またはコントロールプレーンデータが主要接続と補助接続により共同伝送されてもよい。本発明に係る実施例はデータの伝送方式を限定しない。
【００６１】
さらに、データは、上りコントロールプレーンデータおよび上りユーザープレーンデータを含む上りデータと、下りコントロールプレーンデータおよび下りユーザープレーンデータを含む下りデータと、を含む。即ち、本発明における伝送は上り伝送および/または下り伝送であることを理解すべきである。
【００６２】
選択可能な１つの実施例として、当該補助接続追加リクエストメッセージはさらに、当該端末装置が既に確立した補助接続の設定情報である第２の設定情報を含む。
【００６３】
具体的には、当該補助ネットワークアクセス能力情報は、端末装置の補助ネットワークアクセス装置にアクセスする最大能力、即ち従来技術における端末装置のアクセス能力パラメータを示すために用いられ、例えば、１つの伝送時間間隔(Ｔｒａｎｓｍｉｓｓｉｏｎ Ｔｉｍｅ Ｉｎｔｅｒｖａｌ、ＴＴＩ)内に下り共有チャンネルのベアラする総ビット数、ソフトチャンネルの総ビット数または空間分割多重をサポートする最大層数等である。主要ネットワークアクセス装置は、第１の補助ネットワークアクセス装置へ送信する補助接続追加リクエストメッセージにおいて、当該補助ネットワークアクセス能力情報と端末装置が既に確立した補助接続の設定情報を担持することができ、それにより、第１の補助ネットワークアクセス装置が第１の設定情報を生成するとともに、当該補助接続追加リクエストメッセージにおける補助ネットワークアクセス能力情報と第２の設定情報を考慮する。例えば、全ての補助接続の構成を当該補助ネットワークアクセス能力情報の示した端末装置のネットワークアクセス能力以下にすることができる。
【００６４】
選択的に、当該補助接続追加リクエストメッセージは、さらに当該補助ネットワークアクセス装置の測定結果情報、サービス品質(Ｑｕａｌｉｔｙ ｏｆ Ｓｅｒｖｉｃｅ、略称“ＱｏＳ”)等を担持することができ、補助ネットワークアクセス装置がこれらの情報に基づいて補助接続の確立を許可するか否かを決定し、そして補助ネットワークアクセス装置がこれらの情報および補助ネットワークアクセス装置現在の負荷状態に基づき、補助接続の確立を許可する場合、当該補助接続追加リクエストメッセージに基づいて補助接続の確立の設定情報を生成し、主要ネットワークアクセス装置に、補助接続追加リクエストメッセージの確認メッセージを返信し、当該確認メッセージには補助接続の設定情報が担持され、当該補助接続の設定情報は補助接続を確立するために用いられる。補助ネットワークアクセス装置はこれらの情報に基づき、補助接続の確立を許可しないと決定する場合、第１の主要ネットワークアクセス装置に失敗指示メッセージを返信し、当該失敗指示メッセージには、補助ネットワークアクセス装置のＱｏＳがデータの伝送を満たさず、補助ネットワークアクセス装置のリンク品質が劣り、補助ネットワークアクセス装置の現在が輻輳状態にあるという補助接続の確立を許可しない原因が担持される。主要ネットワークアクセス装置が、端末装置から報告した当該補助ネットワークアクセス装置の測定結果情報を再び受信する時、当該主要ネットワークアクセス装置は、当該失敗指示情報における失敗原因に基づき、当該第１の補助ネットワークアクセス装置に当該測定結果情報を送信するか否かを決定することができる。例えば、当該第１の補助ネットワークアクセス装置の失敗原因がネットワーク輻輳である場合、当該第１の補助ネットワークアクセス装置の測定結果情報を再び受信する時、当該第１の補助ネットワークアクセス装置に測定結果情報を送信しなくてもよく、このようにすれば消費電力を減少することができる。
【００６５】
１つの選択可能な実施例として、端末装置は、主要ネットワークアクセス装置に発信した無線リソース制御(Ｒａｄｉｏ Ｒｅｓｏｕｒｃｅ Ｃｏｎｔｒｏｌ、ＲＲＣ)接続の確立リクエストメッセージに当該補助ネットワークアクセス能力情報を担持することができる。ＲＲＣ接続の確立が完了した後、端末装置は、主要ネットワークアクセス装置に送信したＲＲＣ接続の確立完了メッセージに、当該補助ネットワークアクセス能力情報を担持することができる。さらに、端末装置は、主要ネットワークアクセス装置に送信したＲＲＣ再構成完了メッセージに、当該補助ネットワークアクセス能力情報を担持することができ、端末装置は、主要ネットワークアクセス装置に発信したいずれのエアインタフェースメッセージに、当該補助ネットワークアクセス能力情報を担持することができ、本発明はこれを限定しない。
【００６６】
さらに、主要ネットワークアクセス装置は、コアネットワークデバイスから、当該端末装置の補助ネットワークアクセス能力情報を取得することができる。例えば、端末装置は初めて起動してアタッチ過程を行う際に、当該補助ネットワークアクセス能力情報をネットワークアタッチトストレージ(Ｎｅｔｗｏｒｋ Ａｔｔａｃｈｅｄ Ｓｔｏｒａｇｅ、ＮＡＳ)情報によりコアネットワークデバイスに送信する。
【００６７】
１つの選択可能な実施例として、当該主要ネットワークアクセス装置が当該第１の補助ネットワークアクセス装置に補助接続追加リクエストメッセージを送信する前に、当該主要ネットワークアクセス装置は、当該端末装置が送信した少なくとも１つの、対応する補助ネットワークアクセス装置と当該端末装置との間のリンク品質を示すための補助ネットワークアクセス装置の測定結果情報を受信することと、当該主要ネットワークアクセス装置は、当該少なくとも１つの補助ネットワークアクセス装置における各補助ネットワークアクセス装置の測定結果情報に基づき、当該第１の補助ネットワークアクセス装置を決定することと、を含む。
【００６８】
具体的には、端末装置は、複数の補助ネットワークアクセス装置の測定結果情報を、主要ネットワークアクセス装置へのアクセス過程において、主要ネットワークアクセス装置に送信することができ、主要ネットワークアクセス装置は、端末装置の測定結果情報を受信した後、当該測定結果情報に基づき、いずれの補助ネットワークアクセス装置を追加するかを決定し、端末装置が複数の補助ネットワークアクセス装置の測定結果情報を主要ネットワークアクセス装置に送信することで、補助ネットワークアクセス装置をデータ伝送のネットワークデバイスとして選択することができ、データをできるだけ早く補助ネットワークアクセス装置に分流することができ、それにより、主要ネットワークアクセス装置によって確立された補助接続は、できるだけ早く主要ネットワークアクセス装置のためにデータを分流することができ、主要ネットワークアクセス装置の伝送負荷を軽減することができる。
【００６９】
１つの選択可能な実施例として、当該方法はさらに、当該主要ネットワークアクセス装置が当該端末装置に当該第１の設定情報を送信することを含み、それにより当該端末装置が当該第１の設定情報に基づき、前記第１の補助ネットワークアクセス装置との間の補助接続を確立することに役立つ。
【００７０】
選択的に、当該主要ネットワークアクセス装置は第１の通信システムにおけるネットワークデバイスであり、当該補助ネットワークアクセス装置は第２の通信システムにおけるネットワークデバイスである。好ましくは、当該主要ネットワークアクセス装置はＬＴＥシステムにおけるネットワークデバイスであり、当該補助ネットワークアクセス装置はニューラジオＮＲシステムにおけるネットワークデバイスである。
【００７１】
図３は本発明に係る一実施例の補助接続の確立方法３００を示すブロック図であり、当該方法３００は、第１の補助ネットワークアクセス装置は、主要ネットワークアクセス装置から送信した、第１の補助ネットワークアクセス装置をデータ伝送のネットワークデバイスとして追加するようにリクエストするために用いられる、当該端末装置の補助ネットワークアクセス装置へのアクセスをサポートする能力を示すための補助ネットワークアクセス能力情報を含む、補助接続追加リクエストメッセージを受信するＳ３１０と、当該第１の補助ネットワークアクセス装置は、当該補助ネットワークアクセス能力情報に基づき、当該第１の補助ネットワークアクセス装置と当該端末装置との間の補助接続を確立するための第１の設定情報を生成するＳ３２０と、当該第１の補助ネットワークアクセス装置は、当該主要ネットワークアクセス装置に、当該第１の設定情報を含む当該補助接続追加リクエストメッセージの確認メッセージを送信するＳ３３０と、を含む。
【００７２】
具体的には、主要ネットワークアクセス装置は、端末装置またはコアネットワークデバイスから取得した当該端末装置の補助ネットワークアクセス能力情報を第１の補助ネットワークアクセス装置に送信することができ、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、そして当該設定情報を主要ネットワークアクセス装置に送信し、主要ネットワークアクセス装置が当該設定情報を端末装置に転送することにより、第１の補助ネットワークアクセス装置と当該端末装置との間の補助接続を確立する。
【００７３】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００７４】
理解すべきものとして、当該補助ネットワークアクセス能力情報は、端末装置が補助ネットワークアクセス装置に接続される全ての能力情報であってもよく、または端末装置が全ての補助ネットワーク接続において使用できるネットワークアクセス能力情報であってもよく、さらに端末装置が追加すべきネットワークアクセス装置に接続される、使用可能なネットワークアクセス能力情報であってもよい。当該補助ネットワークアクセス能力情報は、端末装置が上記の第１の補助ネットワークアクセス装置に接続される能力情報を含めばよく、本発明はこれを限定しない。
【００７５】
当該補助ネットワークアクセス能力情報は端末の補助ネットワークアクセス装置に接続される全ての能力情報である場合、主要ネットワークアクセス装置が第１の補助ネットワークアクセス装置に送信した補助接続追加リクエストメッセージには、さらに端末装置が既に確立した補助接続の設定情報が担持される。第１の補助ネットワークアクセス装置は、補助ネットワークアクセス能力情報と補助接続追加リクエストメッセージに担持される設定情報を考慮し、第１の設定情報を生成することができる。例えば、当該端末装置によって確立される全ての補助接続の構成は、当該補助ネットワークアクセス能力情報に示された能力以下である。
【００７６】
当該補助ネットワークアクセス能力情報は、端末装置が第１の補助ネットワークアクセス装置にアクセスするために割り当てた一部の能力である場合、第１の補助ネットワークアクセス装置は、当該補助ネットワークアクセス能力情報を受信した後、当該第１の補助ネットワークアクセス装置は、当該端末装置の構成が当該補助ネットワークアクセス能力情報に示された能力以下であることを保証する必要がある。
【００７７】
理解すべきものとして、当該補助ネットワークアクセス能力情報は、また端末装置が一回に追加しようとする複数のネットワークアクセス装置のために、割り当てた一部の能力情報を示すことができ、例えば、端末装置がネットワークアクセス装置にアクセスする際、一回に伝送可能な最大データブロックは３２であり、端末装置が一回に第１の補助ネットワークアクセス装置と第２の補助ネットワークアクセス装置を追加しようとする場合、端末装置が当該第１の補助ネットワークアクセス装置と当該第２の補助ネットワークアクセス装置の全体に割り当てられる伝送可能な最大データブロックは１６である。第１の補助ネットワークアクセス装置と端末装置の補助接続を予め確立する場合、第１の補助ネットワークアクセス装置は当該割り当てられた補助ネットワークアクセス能力情報に基づき、第１の設定情報を決定し、当該第１の設定情報における最大伝送データブロックは１６以下である。主要ネットワークアクセス装置は、また第２の補助ネットワークアクセス装置を補助接続として追加しようとする場合、第１の補助ネットワークアクセス装置は、当該割り当てられた補助ネットワークアクセス能力情報と第１の設定情報に基づき、第２の設定情報を決定する必要がある。当該第２の設定情報と第１の設定情報における最大伝送データブロックの和は１６以下である。
【００７８】
なお、方法３００における第１の補助ネットワークアクセス装置と主要ネットワークアクセス装置との間のフローについて、具体的には方法２００を参照されたい。簡略化するために、ここで説明を省略する。
【００７９】
図４は本発明に係る一実施例の補助接続の確立方法４００を示すブロック図であり、当該方法４００は、端末装置が主要ネットワークアクセス装置に、当該端末の、当該端末の補助ネットワークアクセス装置へのアクセスをサポートする能力を示すための補助ネットワークアクセス能力情報を送信するＳ４１０と、当該端末装置は、当該主要ネットワークアクセス装置が送信した、当該第１の補助ネットワークアクセス装置と当該端末装置との間の補助接続を確立するための第１の設定情報を受信するＳ４２０と、を含む。
【００８０】
具体的には、主要ネットワークアクセス装置は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、主要ネットワークアクセス装置が当該設定情報を受信した後、当該設定情報を端末装置に転送することにより、第１の補助ネットワークアクセス装置と当該端末装置との間の補助接続を確立する。
【００８１】
そのため、本発明の実施例は、補助接続を確立する新しい方法を提供し、簡単で柔軟であり、それによりユーザープレーンのデータスループットを向上させ、および主要ネットワークアクセス装置の負荷を軽減することができる。
【００８２】
１つの選択可能な実施例として、当該方法はさらに、当該端末装置が主要ネットワークアクセス装置に、複数の補助ネットワークアクセス装置の測定結果情報を送信し、当該測定結果情報は、対応する補助ネットワークアクセス装置と端末装置との間のリンク品質を示すために用いられ、それにより、当該主要ネットワークアクセス装置が当該複数の測定結果情報に基づいて当該第１の補助ネットワークアクセス装置を決定すること、を含む。
【００８３】
具体的には、当該端末装置と当該補助ネットワークアクセス装置との間のチャンネル品質がプリセット条件を満たす場合、当該端末装置は、当該主要ネットワークアクセス装置に当該測定結果情報を送信する。当該プリセット条件としては、プロトコル規定に基づく所定の周期であってもよく、端末装置は、補助ネットワークアクセス装置との間のチャンネル品質が第１の主要ネットワークアクセス装置との間のチャンネル品質よりも高いと検出する条件であってもよく、補助ネットワークアクセス装置のチャンネル品質が一定の閾値を超えたと検出した条件であってもよく、現在の参照信号電力が所定の閾値未満である条件等であってもよく、さらに、端末装置のリアルタイム測定、リアルタイム報告等であってもよい。本発明の実施例は、端末装置が測定結果情報を報告するトリガ条件を限定しない。
【００８４】
１つの選択可能な実施例として、当該端末装置が主要ネットワークアクセス装置に当該端末装置の補助ネットワークアクセス能力情報を送信することは、当該端末装置が当該主要ネットワークアクセス装置に第１のメッセージを送信することを含み、そのうち、当該第１のメッセージは、該端末装置と当該第１の補助ネットワークアクセス装置との間の設定が有効になったことを示すために用いられ、当該第１のメッセージは当該補助ネットワークアクセス能力情報を含む。
【００８５】
１つの選択可能な実施例として、当該方法はさらに、当該端末装置が当該第１の設定情報に基づき、当該第１の補助ネットワークアクセス装置との間の補助接続を確立することを含む。
【００８６】
なお、方法４００における端末装置と主要ネットワークアクセス装置との間のフローについては、方法２００を参照されたい。簡略化するために、ここで説明を省略する。
【００８７】
理解を容易にするために、以下、図５から図６を参照しながら、端末装置、主要ネットワークアクセス装置および補助ネットワークアクセス装置の交互角度から、本発明に係る実施例の補助接続の確立方法について詳細に説明する。
【００８８】
図５は本発明に係る実施例の補助接続の確立方法５００を示すフローチャートである。図５に示すように、当該方法５００は、ＬＴＥシステムにおける主要ネットワークアクセス装置が、端末装置のＮＲシステムにおけるネットワークアクセス装置にアクセスする最大能力を示すために用いられる、端末装置のＮＲ能力情報を取得するＳ５１０と、ＬＴＥシステムにおける主要ネットワークアクセス装置は、ＮＲシステムにおける第１の補助ネットワークアクセス装置の追加を決定し、そして第１の補助ネットワークアクセス装置に、当該端末装置のＮＲ能力情報が担持されるＮＲ追加リクエストを送信するＳ５２０と、ＮＲシステムにおける第１の補助ネットワークアクセス装置は、ＬＴＥシステムにおける主要ネットワークアクセス装置が送信したＮＲ追加リクエストを受信した後、端末装置のＮＲ能力情報に基づき、第１の補助ネットワークアクセス装置と端末装置との間の補助接続の構成を行い、即ち第１の設定情報であり、そしてＬＴＥシステムにおける主要ネットワークアクセス装置にフィードバックするＳ５３０と、ＬＴＥシステムにおける主要ネットワークアクセス装置は、ＲＲＣ再構成メッセージにより、第１の補助ネットワークアクセス装置と端末装置との間の補助接続構成を端末装置に送信するＳ５４０と、ＬＴＥシステムにおける主要ネットワークアクセス装置は、ＮＲシステムにおける第２の補助ネットワークアクセス装置を第２の補助接続として追加すると決定した時、端末装置のＮＲ能力情報、および当該第１の補助ネットワークアクセス装置と端末装置との間の補助接続構成を追加リクエストにより、ＮＲシステムにおける第２の補助ネットワークアクセス装置に送信するＳ５５０と、ＮＲシステムにおける第２の補助ネットワークアクセス装置は、端末のＮＲ能力情報、およびＮＲシステムにおける第１の補助ネットワークアクセス装置と端末装置との間の補助接続構成に基づき、ＮＲシステムにおける第２の補助ネットワークアクセス装置と端末装置との間の補助接続構成を生成し、即ち第２の設定情報であり、そしてＬＴＥシステムにおける主要ネットワークアクセス装置にフィードバックするＳ５６０と、ＬＴＥシステムにおける主要ネットワークアクセス装置は、ＲＲＣ再構成メッセージにより、第２の補助ネットワークアクセス装置と端末装置との間の補助接続構成を端末装置に送信するＳ５７０と、を含む。
【００８９】
そのため、本発明の実施例は、補助接続を確立する新しい方法を提供し、簡単かつ柔軟であり、それにより、ユーザープレーンのデータスループットを向上させ、および主要ネットワークアクセス装置の負荷を軽減することができる。
【００９０】
図６は本発明に係る実施例の補助接続の確立方法６００を示すフローチャートである。図６に示すように、当該方法６００は、ＬＴＥシステムにおける主要ネットワークアクセス装置が、次回のＮＲ接続に使用可能なＮＲ能力情報を示すための端末装置のＮＲ能力情報を取得するＳ６１０と、ＬＴＥシステムにおける主要ネットワークアクセス装置は、ＮＲシステムにおける第１の補助ネットワークアクセス装置の追加を決定し、そして第１の補助ネットワークアクセス装置にＮＲ追加リクエストを送信し、その中に次回のＮＲ接続に使用可能なＮＲ能力情報を担持するＳ６２０と、ＮＲシステムにおける第１の補助ネットワークアクセス装置は、ＬＴＥシステムにおける主要ネットワークアクセス装置が送信したＮＲ追加リクエストを受信した後、端末装置のＮＲ能力情報に基づき、第１の補助ネットワークアクセス装置と端末装置との間の補助接続構成を行い、即ち第１の設定情報であり、そしてＬＴＥシステムにおける主要ネットワークアクセス装置にフィードバックするＳ６３０と、ＬＴＥシステムにおける主要ネットワークアクセス装置は、ＲＲＣ再構成メッセージにより、第１の補助ネットワークアクセス装置と端末装置との間の補助接続構成を端末装置に送信するＳ６４０と、端末装置は、ＲＲＣ再構成完了情報に次回のＮＲ接続に使用可能なＮＲ能力情報を担持するＳ６５０と、ＬＴＥシステムにおける主要ネットワークアクセス装置は、ＮＲシステムにおける第２の補助ネットワークアクセス装置を第２の補助接続として追加すると決定した時、次回のＮＲ接続に使用可能なＮＲ能力情報をＮＲシステムにおける第２の補助ネットワークアクセス装置に送信するＳ６６０と、ＮＲシステムにおける第２の補助ネットワークアクセス装置は、次回のＮＲ接続に使用可能なＮＲ能力情報に基づき、ＮＲシステムにおける第２の補助ネットワークアクセス装置と端末装置との間の補助接続構成を生成し、即ち第２の設定情報であり、そしてＬＴＥシステムにおける主要ネットワークアクセス装置にフィードバックするＳ６７０と、ＬＴＥシステムにおける主要ネットワークアクセス装置は、ＲＲＣ再構成メッセージにより、第２の補助ネットワークアクセス装置と端末装置との間の補助接続構成を端末装置に送信するＳ６８０と、を含む。
【００９１】
そのため、本発明の実施例は、補助接続を確立する新しい方法を提供し、簡単かつ柔軟であり、それにより、ユーザープレーンのデータスループットを向上させ、および主要ネットワークアクセス装置の負荷を軽減することができる。
【００９２】
理解すべきものとして、図５と図６は、補助接続の確立方法の詳細な手順または操作を示したが、これらの手順または操作は単なる例示的なものであり、本発明の実施例はその他の操作、または図５または図６中の各操作の変形を実行してもよい。さらに、図５と図６中の各手順は、図５と図６に示した順と異なる順序で実行してもよく、かつ図５と図６中の全ての操作を実行することに限らない可能性もある。
【００９３】
また、上記の各方法の実施例において、端末装置側の手順は、単独で端末装置側の補助接続の確立方法を実現し、主要ネットワークアクセス装置側の手順も単独でネットワークアクセス側の補助接続の確立方法になれ、さらに、補助ネットワークアクセス装置側の手順も単独でネットワークアクセス側の補助接続の確立方法になれる。上記の各方法の実施例において、通常、ネットワークアクセス装置は基地局であり、コアネットワークデバイスはモビリティ・マネジメント・エンティティであり、端末装置はユーザーデバイスである。
【００９４】
理解すべきものとして、ネットワークデバイス側で説明されたネットワークデバイスと端末装置の交互および関連特性、機能等は、端末装置側の関連特性、機能に対応し、簡略化するために、ここで説明を省略する。
【００９５】
さらに、理解すべきものとして、本発明の各種の実施例において、上記の各過程の番号の大きさは、実行順序の先後を意味しておらず、各過程の実行順序は、その機能と内在論理により決定され、本発明に係る実施例の実施過程を任意に限定すべきではない。
【００９６】
以上、図２から図６を参照しながら、本発明に係る実施例に基づく補助接続の確立方法を詳細に説明した。以下、図７から図１２を参照しながら、本発明に係る実施例に基づく補助接続の確立装置を説明し、方法の実施例で説明された技術的特徴は、以下の装置の実施例に適用可能である。
【００９７】
図７は本発明に係る実施例に基づく補助接続の確立装置７００を示すブロック図である。図７に示すように、当該装置７００は、当該端末装置の補助ネットワークアクセス装置へのアクセスをサポートする能力を示す、端末装置の補助ネットワークアクセス能力情報を取得するための取得ユニットＳ7１０と、当該第１の補助ネットワークアクセス装置をデータ伝送のネットワークデバイスとして追加するようにリクエストするために用いられ、当該補助ネットワークアクセス能力情報を含む、補助接続追加リクエストメッセージを第１の補助ネットワークアクセス装置に送信するための第１の送信ユニットＳ７２０と、当該第１の補助ネットワークアクセス装置が送信した、当該第１の補助ネットワークアクセス装置と当該端末装置との間の補助接続を確立するための第１の設定情報を含む、当該補助接続追加リクエストメッセージの確認メッセージを受信するための第１の受信ユニットＳ７３０と、を含む。
【００９８】
具体的には、装置７００は、端末装置またはコアネットワークデバイスから当該端末装置の補助ネットワークアクセス能力情報を取得し、そして当該補助ネットワークアクセス能力情報を第１の補助ネットワークアクセス装置に送信することができる。それにより、当該第１の補助ネットワークアクセス装置は当該補助ネットワークアクセス能力情報を参照し、当該第１の補助ネットワークアクセス装置と当該端末装置との間の補助接続を確立するための設定情報を生成することができ、装置７００が当該設定情報を受信した後、当該設定情報を端末装置に転送することにより、第１の補助ネットワークアクセス装置と当該端末装置との間の補助接続を確立する。
【００９９】
そのため、本発明に係る実施例は、補助接続の確立装置を提供し、簡単かつ柔軟であり、それにより、ユーザープレーンのデータスループットを向上させ、および主要ネットワークアクセス装置の負荷を軽減することができる。
【０１００】
選択的に、本発明の実施例において、当該補助接続追加リクエストメッセージは、さらに、当該端末装置が既に確立した補助接続の設定情報である第２の設定情報を含む。
【０１０１】
選択的に、本発明の実施例において、当該取得ユニット７１０は、具体的に、当該端末装置またはコアネットワークデバイスから送信した、当該補助ネットワークアクセス能力情報を含む第１のメッセージを受信することと、当該第１のメッセージの中から、当該補助ネットワークアクセス能力情報を取得することに用いられる。
【０１０２】
選択的に、本発明の実施例において、当該取得ユニット７１０が受信した、当該端末装置から送信された当該第１のメッセージは、当該端末装置と当該第１の補助ネットワークアクセス装置との間の設定が有効になったことを示すために用いられる。
【０１０３】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報は、当該端末装置の追加すべき補助ネットワークアクセス装置へのアクセスをサポートする能力を示すために用いられ、当該追加すべき補助ネットワークアクセス装置は、当該第１の補助ネットワークアクセス装置を含む。
【０１０４】
選択的に、本発明の実施例において、当該装置7００は、さらに、当該端末装置が送信した少なくとも１つの、対応する補助ネットワークアクセス装置と端末装置との間のリンク品質を示すための補助ネットワークアクセス装置の測定結果情報を受信するための第２の受信ユニット７４０と、当該少なくとも１つの補助ネットワークアクセス装置における各補助ネットワークアクセス装置の測定結果情報に基づき、当該第１の補助ネットワークアクセス装置を決定するために用いられる決定ユニット７５０と、を含む。
【０１０５】
選択的に、本発明の実施例において、当該装置７００は、さらに、当該端末装置に当該第１の設定情報を送信することにより、当該端末装置が当該第１の設定情報に基づき、当該第１の補助ネットワークアクセス装置との間の補助接続を容易に確立するための第２の送信ユニット760を含む。
【０１０６】
選択的に、本発明の実施例において、当該装置は、第１の通信システムにおけるネットワークデバイスであり、当該補助ネットワークアクセス装置は、第２の通信システムにおけるネットワークデバイスである。
【０１０７】
理解すべきものとして、本発明に係る実施例に基づく装置７００は、本発明に係る実施例の補助接続の確立方法２００の実行本体に対応することができ、そして装置７００中の各モジュールの上記と他の操作および/または機能は、図２、図５および図６における各方法に対応するフローをそれぞれ実現し、簡略化するために、ここで説明を省略する。
【０１０８】
図８は本発明に係る実施例に基づく補助接続の確立装置８００を示すブロック図である。図８に示すように、当該装置８００は、第１の補助ネットワークアクセス装置をデータ伝送のネットワークデバイスとして追加するようにリクエストし、当該端末装置の補助ネットワークアクセス装置へのアクセスをサポートする能力を示すために用いられる、当該補助ネットワークアクセス能力情報を含む、主要ネットワークアクセス装置から送信した補助接続追加リクエストメッセージを受信するための受信ユニットＳ８１０と、当該補助ネットワークアクセス能力情報に基づき、当該第１の補助ネットワークアクセス装置と当該端末装置との間の補助接続を確立するための第１の設定情報を生成するための生成ユニットＳ８２０と、当該主要ネットワークアクセス装置に、当該第１の設定情報を含む当該補助接続追加リクエストメッセージの確認メッセージを送信するための送信ユニットＳ８３０と、を含む。
【０１０９】
具体的には、主要ネットワークアクセス装置は、端末装置またはコアネットワークデバイスから当該端末装置の補助ネットワークアクセス能力情報を取得し、そして当該補助ネットワークアクセス能力情報を装置８００に送信することができる。それにより、当該装置８００は、当該補助ネットワークアクセス能力情報を参照し、当該装置８００と当該端末装置との間の補助接続を確立するために用いられる設定情報を生成することができ、主要ネットワークアクセス装置は、当該設定情報を受信した後、当該設定情報を端末装置に転送することで、装置８００と当該端末装置との間の補助接続を確立する。
【０１１０】
そのため、本発明の実施例は、補助接続の確立装置を提供し、簡単かつ柔軟であり、それにより、ユーザープレーンのデータスループットを向上させ、および主要ネットワークアクセス装置の負荷を軽減することができる。
【０１１１】
選択的に、本発明の実施例において、当該補助ネットワークアクセス能力情報は、当該端末装置の補助ネットワークアクセス装置にアクセスする最大能力を示すために用いられる。当該補助接続追加リクエストメッセージは、さらに、当該端末装置が既に確立した補助接続の設定情報である第２の設定情報を含む。当該生成ユニット８２０は、具体的に、当該補助ネットワークアクセス能力情報と当該第２の設定情報に基づき、当該第１の設定情報を生成するために用いられ、当該第１の設定情報と当該第２の設定情報が対応する設定の和は、当該補助ネットワークアクセス能力情報が示した、当該端末装置の補助ネットワークアクセス装置へのアクセスをサポートする能力以下である。
【０１１２】
選択的に、本発明の実施例において、当該補助ネットワークアクセス能力情報は、当該端末装置の追加すべき補助ネットワークアクセス装置へのアクセスをサポートする能力を示すために用いられ、そのうち、当該追加すべき補助ネットワークアクセス装置は当該第１の補助ネットワークアクセス装置を含む。
【０１１３】
選択的に、本発明の実施例において、当該主要ネットワークアクセス装置は、第１の通信システムにおけるネットワークデバイスであり、当該補助ネットワークアクセス装置は第２の通信システムにおけるネットワークデバイスである。
【０１１４】
理解すべきものとして、本発明に係る実施例の装置８００は、本発明に係る実施例の補助接続の確立方法３００の実行本体に対応することができ、かつ装置８００における各モジュールの上記と他の操作および/または機能は、図３、図５および図６の各方法の対応するフローをそれぞれ実現するためであり、簡略化するために、ここで説明を省略する。  
【０１１５】
図９は本発明に係る実施例に基づく補助接続の確立装置９００を示すブロック図である。図９に示すように、当該装置９００は、主要ネットワークアクセス装置に、当該端末装置の補助ネットワークアクセス装置へのアクセスをサポートする能力を示す、当該端末装置の補助ネットワークアクセス能力情報を送信するための送信ユニット９１０と、当該主要ネットワークアクセス装置が送信した、当該第１の補助ネットワークアクセス装置と当該端末装置との間の補助接続を確立するための第１の設定情報を受信するための受信ユニット９２０と、を含む。
【０１１６】
具体的には、主要ネットワークアクセス装置は、装置９００から当該端末装置の補助ネットワークアクセス能力情報を取得することができ、そして当該補助ネットワークアクセス能力情報を第１の補助ネットワークアクセス装置に送信することができ、それにより、当該第１の補助ネットワークアクセス装置は、当該補助ネットワークアクセス能力情報を参照し、当該第１の補助ネットワークアクセス装置と当該装置９００との間の補助接続を確立するために用いられる設定情報を生成し、主要ネットワークアクセス装置は、当該設定情報を受信した後、当該設定情報を装置９００に転送することで、第１の補助ネットワークアクセス装置と当該装置９００との間の補助接続を確立する。
【０１１７】
そのため、本発明に係る実施例は補助接続の確立装置を提供し、簡単かつ柔軟であり、それにより、ユーザープレーンのデータスループットを向上させ、および主要ネットワークアクセス装置の負荷を軽減することができる。
【０１１８】
選択的に、本発明の実施例において、当該送信ユニット９１０は、具体的に、当該主要ネットワークアクセス装置に第１のメッセージを送信するために用いられ、当該第１のメッセージは、当該端末装置と当該第１の補助ネットワークアクセス装置との間の設定が有効になったことを示すために用いられ、当該第１のメッセージは当該補助ネットワークアクセス能力情報を含む。
【０１１９】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の当該第１の補助ネットワークアクセス装置を含む追加すべき補助ネットワークアクセス装置へのアクセスをサポートする能力を示すために用いられる。
【０１２０】
選択的に、本発明の実施例において、当該装置９００は、さらに、当該第１の設定情報に基づき、当該第１の補助ネットワークアクセス装置との間の補助接続を確立するために用いられるアクセスユニット９３０を含む。
【０１２１】
選択的に、本発明の実施例において、当該主要ネットワークアクセス装置は、第１の通信システムにおけるネットワークデバイスであり、当該補助ネットワークアクセス装置は、第２の通信システムにおけるネットワークデバイスである。
【０１２２】
理解すべきものとして、本発明に係る実施例に基づく装置９００は、本発明に係る実施例の補助接続の確立方法４００の実行本体に対応することができ、かつ装置９００中の各モジュールの上記と他の操作および/または機能は、図４、図５および図６の各方法における対応するフローをそれぞれ実現するためであり、簡略化するために、ここで説明を省略する。
【０１２３】
なお、上記の実施例に提供された装置は、その機能を実現する時、単に上記の各機能ユニットの分割に従って例を挙げて説明したが、実際の応用では、必要に応じて上記の機能の割り当てが異なる機能ユニットにより完了されてもよく、即ち、デバイスの内部構造を異なる機能ユニットに分割し、以上に説明された全部または一部の機能を完了する。また、上記の実施例に提供された装置と方法の実施例は、同一の構想に属し、その具体的な実現過程については、方法の実施例を詳細に参照されたい。ここで説明を省略する。
【０１２４】
図１０は本発明に係る実施例に基づく装置１０を示すブロック図である。図１０に示す装置１０は、メモリ１１と、プロセッサー１２と、入力/出力インタフェース１３と、通信インタフェース１４およびバスシステム１５を含む。そのうち、メモリ１１と、プロセッサー１２と、入力/出力インタフェース１３および通信インタフェース１４は、バスシステム１５によって接続され、当該メモリ１１は命令を記憶するために用いられ、当該プロセッサー１２は、当該メモリ１１に記憶される命令を実行するために用いられ、それにより、入力/出力インタフェース１３が、入力されたデータと情報を受信し、操作結果等のデータを出力するように制御し、そして通信インタフェース１４が信号を送信するように制御する。
【０１２５】
プロセッサー１２は、端末装置の、当該端末装置の補助ネットワークアクセス装置へのアクセスをサポートする能力を示すための補助ネットワークアクセス能力情報を取得することと、第１の補助ネットワークアクセス装置に、当該第１の補助ネットワークアクセス装置をデータ伝送のネットワークデバイスとして追加するようにリクエストするために用いられ、当該補助ネットワークアクセス能力情報を含む補助接続追加リクエストメッセージを送信することと、当該第１の補助ネットワークアクセス装置が送信した、当該第１の補助ネットワークアクセス装置と当該端末装置との間の補助接続を確立するための第１の設定情報を含む、当該補助接続追加リクエストメッセージの確認メッセージを受信すること、に用いられる。
【０１２６】
選択的に、本発明の実施例において、当該補助接続追加リクエストメッセージは、さらに、当該端末装置が既に確立した補助接続の設定情報である第２の設定情報を含む。
【０１２７】
選択的に、本発明の実施例において、プロセッサー１２は、具体的に、当該端末装置またはコアネットワークデバイスが送信した、当該補助ネットワークアクセス能力情報を含む第１のメッセージを受信し、当該第１のメッセージから、当該補助ネットワークアクセス能力情報を取得するために用いられる。
【０１２８】
選択的に、本発明の実施例において、プロセッサー１２は、具体的に、当該端末装置が送信した、当該端末装置と当該第１の補助ネットワークアクセス装置との間の設定が有効になったことを示すための第１のメッセージを受信するために用いられる。
【０１２９】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の当該第１の補助ネットワークアクセス装置を含む、追加すべき補助ネットワークアクセス装置へのアクセスをサポートする能力を示すために用いられる。
【０１３０】
選択的に、本発明の実施例において、プロセッサー１２は、具体的に、当該端末装置が送信した少なくとも１つの、対応する補助ネットワークアクセス装置と当該端末装置との間のリンク品質を示すための補助ネットワークアクセス装置の測定結果情報を受信するために用いられ、また、当該少なくとも１つの補助ネットワークアクセス装置における各補助ネットワークアクセス装置の測定結果情報に基づき、当該第１の補助ネットワークアクセス装置を決定するために用いられる。
【０１３１】
選択的に、本発明の実施例において、プロセッサー１２は、さらに、当該端末装置に当該第１の設定情報を送信することにより、当該端末装置が当該第１の設定情報に基づき、当該第１の補助ネットワークアクセス装置との間の補助接続を容易に確立するために用いられる。
【０１３２】
選択的に、本発明の実施例において、当該装置１０は、第１の通信システムにおけるネットワークデバイスであり、当該補助ネットワークアクセス装置は、第２の通信システムにおけるネットワークデバイスである。
【０１３３】
理解すべきものとして、本発明の実施例において、当該プロセッサー１２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１３４】
また、理解すべきものとして、通信インタフェース１４は、送受信機のような送受信装置（それらに限定されない）を使用することにより、装置１０とその他デバイスまたは通信ネットワークとの間の通信を実現する。
【０１３５】
当該メモリ１１は、読み取り専用メモリとランダムアクセスメモリを含んでもよく、そしてプロセッサー１２に命令とデータを提供する。プロセッサー１２の一部は、また、不揮発性ランダムアクセスメモリを含んでもよい。例えば、プロセッサー１２は、さらに機種情報を記憶してもよい。
【０１３６】
当該バスシステム１５は、データバスを含む他に、電源バスと、制御バスおよび状態信号バス等を含んでもよい。ただし、説明を明確にするために、図中では、各種のバスをいずれもバスシステム１５として表記する。
【０１３７】
実現する過程において、上記の方法の各手順はプロセッサー１２におけるハードウェアの集積論理回路、またはソフトウェア形式の命令によって実現されることが可能である。本発明の実施例で開示された補助接続の確立方法を組み合わせ、ハードウェアプロセッサーによる実行の完成に直接的に具体化され、またはプロセッサーにおけるハードウェアおよびソフトウェアモジュールの組み合わせによって実行して完成する。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において成熟した記憶媒体に位置することができる。当該記憶媒体は、メモリ１１に位置し、プロセッサー１２がメモリ１１内の情報を読み取り、そのハードウェアと組み合わせて上記の方法２００の手順を完成する。繰り返しを回避するために、ここで説明を省略する。
【０１３８】
図１１は本発明に係る実施例に基づく装置２０を示すブロック図である。図１１に示す装置２０は、メモリ２１と、プロセッサー２２と、入力/出力インタフェース２３と、通信インタフェース２４およびバスシステム２５を含む。そのうち、メモリ２１と、プロセッサー２２と、入力/出力インタフェース２３および通信インタフェース２４は、バスシステム２５によって接続される。当該メモリ２１は命令を記憶するために用いられ、当該プロセッサー２２は、当該メモリ２１に記憶される命令を実行するために用いられ、それにより入力/出力インタフェース２３が、入力されたデータと情報を受信し、操作結果等のデータを出力するように制御し、そして通信インタフェース２４が信号を送信するように制御する。
【０１３９】
プロセッサー２２は、第１の補助ネットワークアクセス装置をデータ伝送のネットワークデバイスとして追加するようにリクエストし、当該端末装置の補助ネットワークアクセス装置へのアクセスをサポートする能力を示すために用いられる、当該補助ネットワークアクセス能力情報を含む、主要ネットワークアクセス装置から送信した補助接続追加リクエストメッセージを受信するために用いられ、また、当該補助ネットワークアクセス能力情報に基づき、当該第１の補助ネットワークアクセス装置と当該端末装置との間の補助接続を確立するための第１の設定情報を生成するために用いられ、さらに、当該主要ネットワークアクセス装置に、当該第１の設定情報を含む当該補助接続追加リクエストメッセージの確認メッセージを送信するために用いられる。
【０１４０】
選択的に、本発明の実施例において、当該補助ネットワークアクセス能力情報は、当該端末装置の補助ネットワークアクセス装置にアクセスする最大能力を示すために用いられる。当該補助接続追加リクエストメッセージは、さらに、当該端末装置が既に確立した補助接続の設定情報である第２の設定情報を含む。プロセッサー２２は、具体的に、当該補助ネットワークアクセス能力情報と当該第２の設定情報に基づき、当該第１の設定情報を生成するために用いられ、当該第１の設定情報と当該第２の設定情報が対応する設定の和は、当該補助ネットワークアクセス能力情報が示した、当該端末装置の補助ネットワークアクセス装置へのアクセスをサポートする能力以下である。
【０１４１】
選択的に、本発明の実施例において、当該補助ネットワークアクセス能力情報は、当該端末装置の追加すべき補助ネットワークアクセス装置へのアクセスをサポートする能力を示すために用いられ、そのうち、当該追加すべき補助ネットワークアクセス装置は当該第１の補助ネットワークアクセス装置を含む。
【０１４２】
理解すべきものとして、本発明の実施例において、当該プロセッサー２２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１４３】
また、理解すべきものとして、通信インタフェース２４は、送受信機のような送受信装置（それらに限定されない）を使用することにより、装置２０とその他デバイスまたは通信ネットワークとの間の通信を実現する。
【０１４４】
当該メモリ２１は、読み取り専用メモリとランダムアクセスメモリを含んでもよく、そしてプロセッサー２２に命令とデータを提供する。プロセッサー２２の一部は、また、不揮発性ランダムアクセスメモリを含んでもよい。例えば、プロセッサー２２は、さらに機種情報を記憶してもよい。
【０１４５】
当該バスシステム２５は、データバスを含む他に、電源バス、制御バスおよび状態信号バス等を含んでもよい。ただし、説明を明確にするために、図中では、各種のバスをいずれもバスシステム２５として表記する。
【０１４６】
実現する過程において、上記の方法の各手順は、プロセッサー２２におけるハードウェアの集積論理回路、またはソフトウェア形式の命令によって完成されることが可能である。本発明の実施例で開示された補助接続の確立方法を組み合わせ、ハードウェアプロセッサーによる実行が完成することに直接現れ、またはプロセッサーにおけるハードウェアおよびソフトウェアモジュールの組み合わせによって実行して完成させる。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において成熟した記憶媒体に位置することができる。当該記憶媒体は、メモリ２１に位置し、プロセッサー２２がメモリ２１内の情報を読み取り、そのハードウェアと組み合わせて上記の方法３００の手順を完成する。繰り返しを回避するために、ここで説明を省略する。
【０１４７】
図１２は本発明に係る実施例に基づく装置３０を示すブロック図である。図１２に示す装置３０は、メモリ３１と、プロセッサー３２と、入力/出力インタフェース３３と、通信インタフェース３４およびバスシステム３５を含む。そのうち、メモリ３１と、プロセッサー３２と、入力/出力インタフェース３３および通信インタフェース３４は、バスシステム３５によって接続される。当該メモリ３１は命令を記憶するために用いられ、当該プロセッサー３２は、当該メモリ３１に記憶される命令を実行するために用いられ、それにより入力/出力インタフェース３３が、入力されたデータと情報を受信し、操作結果等のデータを出力するように制御し、そして通信インタフェース３４が信号を送信するように制御する。
【０１４８】
プロセッサー２２は、当該端末装置の補助ネットワークアクセス装置へのアクセスをサポートする能力を示すために用いられる、当該端末装置の補助ネットワークアクセス能力情報を主要ネットワークアクセス装置に送信するために用いられ、また、当該主要ネットワークアクセス装置から送信した、当該第１の補助ネットワークアクセス装置と当該端末装置との間の補助接続を確立するための第１の設定情報を受信するために用いられる。
【０１４９】
選択的に、本発明の実施例において、プロセッサー３２は、具体的に、当該主要ネットワークアクセス装置に第１のメッセージを送信するために用いられ、当該第１のメッセージは、当該端末装置と当該第１の補助ネットワークアクセス装置との間の設定が有効になったことを示すために用いられ、当該第１のメッセージは当該補助ネットワークアクセス能力情報を含む。
【０１５０】
選択的に、本発明の実施例において、当該補助ネットワークアクセス能力情報は、当該端末装置の補助ネットワークアクセス装置にアクセスする最大能力を示すために用いられ、または、当該補助ネットワークアクセス能力情報が、当該端末装置の、当該第１の補助ネットワークアクセス装置を含む追加すべき補助ネットワークアクセス装置へのアクセスをサポートする能力を示すために用いられる。
【０１５１】
選択的に、本発明の実施例において、プロセッサー３２は、さらに、当該第１の設定情報に基づき、当該第１の補助ネットワークアクセス装置との間の補助接続を確立するために用いられる。
【０１５２】
理解すべきものとして、本発明の実施例において、当該プロセッサー３２は、汎用の中央プロセッサー(Ｃｅｎｔｒａｌ Ｐｒｏｃｅｓｓｉｎｇ Ｕｎｉｔ、ＣＰＵ)、マイクロプロセッサー、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、または１つや複数の集積回路を使用することができ、関連プログラムを実行するために用いられ、それにより本発明に係る実施例によって提供される技術的解決手段を実現する。
【０１５３】
また、理解すべきものとして、通信インタフェース３４は、送受信機のような送受信装置（それらに限定されない）を使用することにより、装置３０とその他デバイスまたは通信ネットワークとの間の通信を実現する。
【０１５４】
当該メモリ３１は、読み取り専用メモリとランダムアクセスメモリを含んでもよく、そしてプロセッサー３２に命令とデータを提供する。プロセッサー３２の一部は、また、不揮発性ランダムアクセスメモリを含んでもよい。例えば、プロセッサー３２は、さらに機種情報を記憶してもよい。
【０１５５】
当該バスシステム３５は、データバスを含む他に、電源バスと、制御バスおよび状態信号バス等を含んでもよい。ただし、説明を明確にするために、図中では、各種のバスをいずれもバスシステム３５として表記する。
【０１５６】
実現する過程において、上記の方法の各手順はプロセッサー３２におけるハードウェアの集積論理回路、またはソフトウェア形式の命令によって実現されることが可能である。本発明の実施例で開示された補助接続の確立方法を組み合わせ、ハードウェアプロセッサーによる実行の完成に直接的に具体化され、またはプロセッサーにおけるハードウェアおよびソフトウェアモジュールの組み合わせによって実行して完成する。ソフトウェアモジュールは、ランダムアクセスメモリ、フラッシュメモリと読み取り専用メモリ、プログラマブル読み取り専用メモリまたは電気消去可能プログラマブルメモリ、レジスタ等の本分野において開発した記憶媒体に位置することができる。当該記憶媒体は、メモリ３１に位置し、プロセッサー３２がメモリ３１内の情報を読み取り、そのハードウェアと組み合わせて上記の方法４００の手順を完成する。繰り返しを回避するために、ここで説明を省略する。
【０１５７】
理解すべきものとして、本発明の実施例において、“Ａに対応するＢ”は、ＢとＡが関連しており、Ａに基づいてＢを決定できることを表す。ただし、Ａに基づいてＢを決定することは、Ａのみに基づいてＢを決定することを意味せず、さらにＡおよび/または他の情報に基づいてＢを決定できることも理解されるべきである。
【０１５８】
本明細書における用語“および/または”は、関連対象を説明する関連関係のものに過ぎず、３種類の関係が存在することを表し、例えば、“Ａおよび/またはＢ”は、Ａのみが存在し、ＡおよびＢが同時に存在し、Ｂのみが存在するという３種類の状況を表すことは理解されるべきである。また、本明細書における符号“/”は通常、前後の関連対象が“または”の関係にあることを表す。
【０１５９】
理解すべきものとして、本発明の各種の実施例において、上記の各過程の番号の大きさは、実行順序の先後を意味しておらず、各過程の実行順序は、その機能と内在論理により決定され、本発明に係る実施例の実施過程を任意に限定すべきではない。
【０１６０】
当業者であれば分かるように、本明細書で開示された実施例に記載のそれぞれ例示的なユニットおよびアルゴリズム手順を組み合わせ、電子ハードウェア、またはコンピュータソフトウェアと電子ハードウェアの組み合わせによって実現されることが可能である。これらの機能がハードウェアの形態で実行されるか、ソフトウェアの形態で実行されるかは、技術的解決手段の特定応用と設計の制約条件によって決められる。当業者であれば、それぞれ特定の応用に対し、異なる方法で記述された機能を実現することができるが、このような実現は、本発明の範囲を超えると考えるべきではない。
【０１６１】
当業者であれば明らかに分かるように、説明の便宜および簡潔さのために、以上に記述されたシステム、装置、およびユニットの具体的な動作過程は、前記方法の実施例における対応過程を参照することができ、ここで説明を省略する。
【０１６２】
本出願で提供された幾つかの実施例において、開示されたシステム、装置および方法は、その他の方式によって実現されてもよいことを理解すべきである。例えば、以上に記述した装置の実施例は、例示的なものに過ぎず、例えば、前記ユニットの分割は、単なる論理的な機能分割であり、実際に実現する時には、他の分割方式を採用してもよく、例えば、複数のユニットもしくはコンポーネントを他のシステムに組み合わせ、集積してもよく、または、一部の特徴を無視し、実行しなくてもよい。さらに、図示または検討された相互間の結合や直接結合、または通信接続は、幾つかのインタフェース、装置またはユニットによる間接結合または通信接続であってもよく、電気的、機械的またはその他の形であってもよい。
【０１６３】
前記独立部材として説明されたユニットは、物理的に分離されてもよいし、分離されなくてもよく、ユニットとして表示された部材は、物理的ユニットであってもよいし、物理的ユニットでなくてもよく、即ち、同じ場所に設置されてもよいし、複数のネットワークユニットに分散してもよい。実際の必要に応じて、そのうちの一部または全部のユニットを選択して、本実施例の技術的解決手段の目的を実現することができる。
【０１６４】
また、本発明の各実施例における各機能ユニットを１つの処理モジュールに集積してもよいし、各ユニットが単独で物理的に存在してもよく、または２つや２つ以上のユニットを１つのユニットに集積してもよい。
【０１６５】
前記機能を、ソフトウェア機能ユニットの形で実現し、かつ独立した製品として販売し、使用する時、１つのコンピュータ読み取り可能な記憶媒体に記憶することができる。このような理解に基づき、本発明の技術的解決手段は本質的に、または従来技術に寄与した部分や当該技術的解決手段の一部は、ソフトウェア製品の形で具体化されてもよく、当該コンピュータソフトウェア製品は、１つの記憶媒体に記憶され、幾つかの命令を含み、１台のコンピュータデバイス（パーソナルコンピュータ、サーバ、またはネットワークデバイス等であってもよい）に本発明の各実施例に記載の方法の全部または一部の手順を実行させる。前記記憶媒体は、Ｕディスク、モバイルハードディスク、読み取り専用メモリ(Ｒｅａｄ-Ｏｎｌｙ Ｍｅｍｏｒｙ、ＲＯＭ)、ランダムアクセスメモリ(Ｒａｎｄｏｍ Ａｃｃｅｓｓ Ｍｅｍｏｒｙ、ＲＡＭ)、磁気ディスクや光ディスクなど、プログラムコードを記憶できる様々な媒体を含む。
【０１６６】
上記の内容は、本発明の具体的な実施形態に過ぎず、これをもって本発明の特許請求の範囲を限定するものではなく、当業者であれば、本発明で開示された技術的範囲において、想到しうる種々の変更や置換は、いずれも本発明の特許保護の範囲に含まれるものとする。よって、本発明の特許保護の範囲は、前記請求項の保護範囲を基準とすべきである。
【手続補正２】
【補正対象書類名】特許請求の範囲
【補正対象項目名】全文
【補正方法】変更
【補正の内容】
【特許請求の範囲】
【請求項１】
補助接続の確立方法であって、
主要ネットワークアクセス装置は、端末装置の、前記端末装置の補助ネットワークアクセス装置へのアクセスをサポートする能力を示すための補助ネットワークアクセス能力情報を受信することと、
前記主要ネットワークアクセス装置は、第１の補助ネットワークアクセス装置に、前記第１の補助ネットワークアクセス装置をデータ伝送のネットワークデバイスとして追加するようにリクエストするために用いられる、前記補助ネットワークアクセス能力情報を含む補助接続追加リクエストメッセージを送信することと、
前記主要ネットワークアクセス装置は、前記第１の補助ネットワークアクセス装置が送信した、前記第１の補助ネットワークアクセス装置と前記端末装置との間の補助接続を確立するための第１の設定情報を含む、補助接続追加リクエストメッセージの確認メッセージを受信することと、
を含むことを特徴とする補助接続の確立方法。
【請求項２】
前記補助接続追加リクエストメッセージは、さらに、前記端末装置が既に確立した補助接続の設定情報である第２の設定情報を含む
ことを特徴とする請求項１に記載の方法。
【請求項３】
前記主要ネットワークアクセス装置が、端末装置の補助ネットワークアクセス能力情報を取得することは、
前記主要ネットワークアクセス装置が前記端末装置またはコアネットワークデバイスから送信した、前記補助ネットワークアクセス能力情報を含む第１のメッセージを受信することと、
前記主要ネットワークアクセス装置が前記第１のメッセージの中から、前記補助ネットワークアクセス能力情報を取得することと、
を含むことを特徴とする請求項１または２に記載の方法。
【請求項４】
前記主要ネットワークアクセス装置が、前記端末装置が送信した第１のメッセージを受信することは、
前記主要ネットワークアクセス装置が、前記端末装置が送信した、前記端末装置と前記第１の補助ネットワークアクセス装置との間の設定が有効になったことを示すための前記第１のメッセージを受信すること、
を含むことを特徴とする請求項３に記載の方法。
【請求項５】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項１から４のいずれか１項に記載の方法。
【請求項６】
前記主要ネットワークアクセス装置が、前記第１の補助ネットワークアクセス装置に補助接続追加リクエストメッセージを送信する前に、
前記主要ネットワークアクセス装置は、前記端末装置が送信した少なくとも１つの、対応する補助ネットワークアクセス装置と前記端末装置との間のリンク品質を示すための補助ネットワークアクセス装置の測定結果情報を受信することと、
前記主要ネットワークアクセス装置は、前記少なくとも１つの補助ネットワークアクセス装置における各補助ネットワークアクセス装置の測定結果情報に基づき、前記第１の補助ネットワークアクセス装置を決定することと、
を含むことを特徴とする請求項１から５のいずれか１項に記載の方法。
【請求項７】
前記方法は、さらに、
前記主要ネットワークアクセス装置が前記端末装置に前記第１の設定情報を送信することにより、前記端末装置が前記第１の設定情報に基づき、前記第１の補助ネットワークアクセス装置との間の補助接続を容易に確立すること
を含むことを特徴とする請求項１から６のいずれか１項に記載の方法。
【請求項８】
補助接続の確立方法であって、
第１の補助ネットワークアクセス装置は、主要ネットワークアクセス装置から送信した、前記第１の補助ネットワークアクセス装置をデータ伝送のネットワークデバイスとして追加するようにリクエストするために用いられる、前記端末装置の補助ネットワークアクセス装置へのアクセスをサポートする能力を示すための補助ネットワークアクセス能力情報を含む、補助接続追加リクエストメッセージを受信することと、
前記第１の補助ネットワークアクセス装置は、前記補助ネットワークアクセス能力情報に基づき、前記第１の補助ネットワークアクセス装置と前記端末装置との間の補助接続を確立するための第１の設定情報を生成することと、
前記第１の補助ネットワークアクセス装置は、前記主要ネットワークアクセス装置に、前記第１の設定情報を含む前記補助接続追加リクエストメッセージの確認メッセージを送信することと、
を含むことを特徴とする補助接続の確立方法。
【請求項９】
前記補助ネットワークアクセス能力情報は、前記端末装置の補助ネットワークアクセス装置にアクセスする最大能力を示すために用いられ、前記補助接続追加リクエストメッセージはさらに、前記端末装置が既に確立した補助接続の設定情報である第２の設定情報を含み、前記第１の補助ネットワークアクセス装置は、前記補助ネットワークアクセス能力情報に基づいて第１の設定情報を生成することは、
前記第１の補助ネットワークアクセス装置は、前記補助ネットワークアクセス能力情報と前記第２の設定情報に基づき、前記第１の設定情報を生成し、前記第１の設定情報と前記第２の設定情報が対応する設定の和は、前記補助ネットワークアクセス能力情報が示す前記端末装置の補助ネットワークアクセス装置へのアクセスをサポートする能力を超えないこと
を含むことを特徴とする請求項８に記載の方法。
【請求項１０】
前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項８に記載の方法。
【請求項１１】
補助接続の確立方法であって、
端末装置は、主要ネットワークアクセス装置に、前記端末の、前記端末の補助ネットワークアクセス装置へのアクセスをサポートする能力を示すための補助ネットワークアクセス能力情報を送信することと、
前記端末装置は、前記主要ネットワークアクセス装置が送信した、前記第１の補助ネットワークアクセス装置と前記端末装置との間の補助接続を確立するための第１の設定情報を受信することと、
を含むことを特徴とする補助接続の確立方法。
【請求項１２】
前記端末装置が主要ネットワークアクセス装置に、前記端末装置の補助ネットワークアクセス能力情報を送信することは、
前記端末装置が前記主要ネットワークアクセス装置に、前記端末装置と前記第１の補助ネットワークアクセス装置との間の設定が有効になったことを示すために用いられる、前記補助ネットワークアクセス能力情報を含む第１のメッセージを送信すること、
を含むことを特徴とする請求項１１に記載の方法。
【請求項１３】
前記補助ネットワークアクセス能力情報は、前記端末装置の補助ネットワークアクセス装置にアクセスする最大能力を示すために用いられ、
または、前記補助ネットワークアクセス能力情報は、前記端末装置の、前記第１の補助ネットワークアクセス装置を含む追加すべき補助ネットワークアクセス装置へのアクセスをサポートする能力を示すために用いられる
ことを特徴とする請求項１１から１２のいずれか１項に記載の方法。
【請求項１４】
前記方法は、さらに、
前記端末装置が前記第１の設定情報に基づき、前記第１の補助ネットワークアクセス装置との間の補助接続を確立すること、
を含むことを特徴とする請求項１１から１３のいずれか１項に記載の方法。
【請求項１５】
補助接続の確立装置であって、
前記装置は、
メモリ、プロセッサー、および前記メモリに格納されて前記プロセッサー上で実行可能なコンピュータプログラムを含み、
前記プロセッサーは、前記コンピュータプログラムを実行するときに、請求項１１乃至１４のいずれか１項に記載の方法を実行するように動作することを特徴とする補助接続の確立装置。
【国際調査報告】
2019527952.tif 000015
2019527952.tif 000016
2019527952.tif 000017
2019527952.tif 000018